(57)【要約】フリップ・フロップ回路を提供する。また、駆動回路を提供する。第１乃至第５の入力端子および第１乃至第３の出力端子を有するフリップ・フロップ回路であって、第１の入力端子は第１のトリガ信号を供給され、第２の入力端子は第２のトリガ信号を供給され、第３の入力端子は一括選択信号を供給され、第４の入力端子は第１のパルス幅変調信号を供給され、第５の入力端子は、第２のパルス幅変調信号を供給される。第１の出力端子は第１のトリガ信号が供給されてから第２のトリガ信号が供給されるまでの期間において、第１のパルス幅変調信号に基づいて、第１の選択信号を供給し、第１の出力端子は一括選択信号が供給されている期間、第１の選択信号を供給し、第２の出力端子は第１のトリガ信号が供給されてから第２のトリガ信号が供給されるまでの期間において、第２のパルス幅変調信号に基づいて、第２の選択信号を供給し、第３の出力端子は、第３のトリガ信号を供給する。
2020058799.tif 000002
【特許請求の範囲】
【請求項１】
第１の入力端子と、第２の入力端子と、第３の入力端子と、第４の入力端子と、第５の入力端子と、第１の出力端子と、第２の出力端子と、第３の出力端子と、第１のトランジスタと、第２のトランジスタと、第３のトランジスタと、ノードと、第１の配線と、第４のトランジスタと、第２の配線と、を有し、
前記第１の入力端子は、第１のトリガ信号を供給され、
前記第２の入力端子は、第２のトリガ信号を供給され、
前記第３の入力端子は、一括選択信号を供給され、
前記第４の入力端子は、第１のパルス幅変調信号を供給され、
前記第５の入力端子は、第２のパルス幅変調信号を供給され、
前記第１の出力端子は、前記第１のトリガ信号が供給されてから前記第２のトリガ信号が供給されるまでの期間において、前記第１のパルス幅変調信号に基づいて、第１の選択信号を供給する機能を備え、
前記第１の出力端子は、前記一括選択信号が供給されている期間、前記第１の選択信号を供給する機能を備え、
前記第２の出力端子は、前記第１のトリガ信号が供給されてから前記第２のトリガ信号が供給されるまでの期間において、前記第２のパルス幅変調信号に基づいて、第２の選択信号を供給し、
前記第３の出力端子は、第３のトリガ信号を供給し、
前記第１のトランジスタは、前記ノードと電気的に接続されるゲート電極、前記第１の出力端子と電気的に接続される第１の電極および前記第３の入力端子と電気的に接続される第２の電極を備え、
前記第１のトランジスタは、前記第１のトリガ信号が供給されてから前記第２のトリガ信号が供給されるまでの期間において、非導通状態であり、
前記第２のトランジスタは、前記ノードと電気的に接続されるゲート電極、前記第２の出力端子と電気的に接続される第１の電極および前記第１の配線と電気的に接続される第２の電極を備え、
前記第２のトランジスタは、前記第１のトリガ信号が供給されてから前記第２のトリガ信号が供給されるまでの期間において、非導通状態であり、
前記第３のトランジスタは、前記ノードと電気的に接続されるゲート電極、前記第３の出力端子と電気的に接続される第１の電極および前記第１の配線と電気的に接続される第２の電極を備え、
前記第３のトランジスタは、前記第１のトリガ信号が供給されてから前記第２のトリガ信号が供給されるまでの期間において、非導通状態であり、
前記第４のトランジスタは、前記第２の配線と電気的に接続されるゲート電極、前記ノードと電気的に接続される第１の電極および前記第１のトランジスタのゲート電極と電気的に接続される第２の電極と、を備える、フリップ・フロップ回路。
【請求項２】
第１の入力端子と、第２の入力端子と、第３の入力端子と、第４の入力端子と、第５の入力端子と、第１の出力端子と、第２の出力端子と、第３の出力端子と、を有し、
前記第１の入力端子は、第１のトリガ信号を供給され、
前記第２の入力端子は、第２のトリガ信号を供給され、
前記第３の入力端子は、一括選択信号を供給され、
前記第４の入力端子は、第１のパルス幅変調信号を供給され、
前記第５の入力端子は、第２のパルス幅変調信号を供給され、
前記第１の出力端子は、前記第１のトリガ信号が供給されてから前記第２のトリガ信号が供給されるまでの期間において、前記第１のパルス幅変調信号に基づいて、第１の選択信号を供給する機能を備え、
前記第１の出力端子は、前記一括選択信号が供給されている期間、前記第１の選択信号を供給する機能を備え、
前記第２の出力端子は、前記第１のトリガ信号が供給されてから前記第２のトリガ信号が供給されるまでの期間において、前記第２のパルス幅変調信号に基づいて、第２の選択信号を供給し、
前記第３の出力端子は、第３のトリガ信号を供給する、フリップ・フロップ回路。
【請求項３】
第１のトランジスタと、第２のトランジスタと、第３のトランジスタと、ノードと、第１の配線と、を有し、
前記第１のトランジスタは、前記ノードと電気的に接続されるゲート電極、前記第１の出力端子と電気的に接続される第１の電極および前記第３の入力端子と電気的に接続される第２の電極を備え、
前記第１のトランジスタは、前記第１のトリガ信号が供給されてから前記第２のトリガ信号が供給されるまでの期間において、非導通状態であり、
前記第２のトランジスタは、前記ノードと電気的に接続されるゲート電極、前記第２の出力端子と電気的に接続される第１の電極および前記第１の配線と電気的に接続される第２の電極を備え、
前記第２のトランジスタは、前記第１のトリガ信号が供給されてから前記第２のトリガ信号が供給されるまでの期間において、非導通状態であり、
前記第３のトランジスタは、前記ノードと電気的に接続されるゲート電極、前記第３の出力端子と電気的に接続される第１の電極および前記第１の配線と電気的に接続される第２の電極を備え、
前記第３のトランジスタは、前記第１のトリガ信号が供給されてから前記第２のトリガ信号が供給されるまでの期間において、非導通状態である、請求項２に記載のフリップ・フロップ回路。
【請求項４】
第４のトランジスタと、第２の配線と、を有し、
前記第４のトランジスタは、前記第２の配線と電気的に接続されるゲート電極、前記ノードと電気的に接続される第１の電極および前記第１のトランジスタのゲート電極と電気的に接続される第２の電極と、を備える、請求項３に記載のフリップ・フロップ回路。
【請求項５】
一群のフリップ・フロップ回路と、第３の配線と、を有し、
前記一群のフリップ・フロップ回路は、請求項２乃至請求項４のいずれか一に記載の第１のフリップ・フロップ回路、第２のフリップ・フロップ回路および第３のフリップ・フロップ回路を含み、
前記第２のフリップ・フロップ回路は、前記第１のフリップ・フロップ回路と電気的に接続され、
前記第２のフリップ・フロップ回路は、前記第３のフリップ・フロップ回路と電気的に接続され、
前記第２のフリップ・フロップ回路は、前記第３のトリガ信号を供給され、
前記第３のフリップ・フロップ回路は、前記第２のトリガ信号を供給し、
前記第３の配線は、前記一括選択信号を供給し、
前記第３の配線は、前記一群のフリップ・フロップ回路と電気的に接続される、駆動回路。
【請求項６】
表示領域と、請求項５に記載の駆動回路と、を有し、
前記表示領域は、第１の走査線、第２の走査線、第１の信号線、第２の信号線および画素を備え、
前記画素は、表示素子および画素回路を備え、
前記表示素子は、前記画素回路と電気的に接続され、
前記画素回路は、前記第１の走査線、前記第２の走査線、前記第１の信号線および前記第２の信号線と電気的に接続され、
前記第１の走査線は、前記第１の出力端子と電気的に接続され、
前記第２の走査線は、前記第２の出力端子と電気的に接続される、表示パネル。
【請求項７】
前記表示領域は、一群の画素および他の一群の画素を備え、
前記一群の画素は、行方向に配設され、
前記一群の画素は、前記画素を含み、
前記他の一群の画素は、前記行方向と交差する列方向に配設され、
前記他の一群の画素は、前記画素を含み、
前記第１の走査線は、前記一群の画素と電気的に接続され、
前記第２の走査線は、前記一群の画素と電気的に接続され、
前記第１の信号線は、前記他の一群の画素と電気的に接続され、
前記第２の信号線は、前記他の一群の画素と電気的に接続される、請求項６に記載の表示パネル。
【請求項８】
機能層を有し、
前記機能層は、前記駆動回路および前記画素回路を含む、請求項６または請求項７に記載の表示パネル。
【請求項９】
請求項６乃至請求項８のいずれか一に記載の表示パネルと、制御部と、を有し、
前記制御部は、画像情報および制御情報を供給され、
前記制御部は、前記画像情報に基づいて情報を生成し、
前記制御部は、前記制御情報に基づいて制御信号を生成し、
前記制御部は、前記情報および前記制御信号を供給し、
前記表示パネルは、前記情報および前記制御信号を供給され、
前記画素は、前記情報に基づいて表示する、表示装置。
【請求項１０】
入力部と、表示部と、を有し、
前記表示部は、請求項６乃至請求項９のいずれか一に記載の表示パネルを備え、
前記入力部は、検知領域を備え、
前記入力部は、前記検知領域に近接するものを検知し、
前記検知領域は、前記画素と重なる領域を備える入出力装置。
【請求項１１】
演算装置と、入出力装置と、を有し、
前記演算装置は、入力情報または検知情報を供給され、
前記演算装置は、前記入力情報または前記検知情報に基づいて、制御情報および画像情報を生成し、
前記演算装置は、前記制御情報および前記画像情報を供給し、
前記入出力装置は、前記入力情報および前記検知情報を供給し、
前記入出力装置は、前記制御情報および前記画像情報を供給され、
前記入出力装置は、表示部、入力部および検知部を備え、
前記表示部は、請求項６乃至請求項９のいずれか一に記載の表示パネルを備え、
前記表示部は、前記制御情報に基づいて、前記画像情報を表示し、
前記入力部は、前記入力情報を生成し、
前記検知部は、前記検知情報を生成する、情報処理装置。
【請求項１２】
キーボード、ハードウェアボタン、ポインティングデバイス、タッチセンサ、照度センサ、撮像装置、音声入力装置、視線入力装置、姿勢検出装置、のうち一以上と、請求項６乃至請求項９のいずれか一に記載の表示パネルと、を含む、情報処理装置。
【発明の詳細な説明】
【技術分野】
【０００１】本発明の一態様は、フリップ・フロップ回路、駆動回路、表示パネル、表示装置、入出力装置、情報処理装置または半導体装置に関する。【０００２】なお、本発明の一態様は、上記の技術分野に限定されない。本明細書等で開示する発明の一態様の技術分野は、物、方法、または、製造方法に関するものである。または、本発明の一態様は、プロセス、マシン、マニュファクチャ、または、組成物（コンポジション・オブ・マター）に関するものである。そのため、より具体的に本明細書で開示する本発明の一態様の技術分野としては、半導体装置、表示装置、発光装置、蓄電装置、記憶装置、それらの駆動方法、または、それらの製造方法、を一例として挙げることができる。
【背景技術】
【０００３】走査線駆動回路が有するシフトレジスタにおける選択信号のシフトと、走査線に対する選択信号の供給と、を独立に制御する表示装置が知られている（特許文献１）。これにより、任意の領域のみに対して画像の書き換えを行うことが可能である。また、上記の動作を、クロック信号又は固定電位を示す信号を供給する配線を設けることによって実現する。そのため、当該配線を有する表示装置は、部分駆動が可能な表示装置でありながら、配線を含めた回路の構成を簡略化することができる。
【先行技術文献】
【特許文献】
【０００４】
【特許文献１】特開２０１１−２０９７１４号公報
【発明の概要】
【発明が解決しようとする課題】
【０００５】本発明の一態様は、利便性、有用性または信頼性に優れた新規なフリップ・フロップ回路を提供することを課題の一とする。または、利便性、有用性または信頼性に優れた新規な駆動回路を提供することを課題の一とする。または、利便性、有用性または信頼性に優れた新規な表示パネルを提供することを課題の一とする。または、利便性、有用性または信頼性に優れた新規な表示装置を提供することを課題の一とする。または、利便性、有用性または信頼性に優れた新規な入出力装置を提供することを課題の一とする。または、利便性、有用性または信頼性に優れた新規な情報処理装置を提供することを課題の一とする。または、新規なフリップ・フロップ回路、新規な駆動回路、新規な表示パネル、新規な表示装置、新規な入出力装置、新規な情報処理装置または新規な半導体装置を提供することを課題の一とする。【０００６】なお、これらの課題の記載は、他の課題の存在を妨げるものではない。なお、本発明の一態様は、これらの課題の全てを解決する必要はないものとする。なお、これら以外の課題は、明細書、図面、請求項などの記載から、自ずと明らかとなるものであり、明細書、図面、請求項などの記載から、これら以外の課題を抽出することが可能である。
【課題を解決するための手段】
【０００７】（１）本発明の一態様は、第１の入力端子ＬＩＮ（ｉ）と、第２の入力端子ＲＩＮ（ｉ）と、第３の入力端子Ｅ（ｉ）と、第４の入力端子Ａ（ｉ）と、第５の入力端子Ｂ（ｉ）と、第１の出力端子Ｇ１（ｉ）と、第２の出力端子Ｇ２（ｉ）と、第３の出力端子ＯＵＴ（ｉ）と、を有するフリップ・フロップ回路ＳＲ（ｉ）である。【０００８】第１の入力端子ＬＩＮ（ｉ）は第１のトリガ信号を供給され、第２の入力端子ＲＩＮ（ｉ）は第２のトリガ信号を供給され、第３の入力端子Ｅ（ｉ）は一括選択信号を供給され、第４の入力端子Ａ（ｉ）は第１のパルス幅変調信号を供給され、第５の入力端子Ｂ（ｉ）は第２のパルス幅変調信号を供給される。【０００９】第１の出力端子Ｇ１（ｉ）は第１のトリガ信号が供給されてから第２のトリガ信号が供給されるまでの期間において、第１のパルス幅変調信号に基づいて、第１の選択信号を供給する機能を備え、第１の出力端子Ｇ１（ｉ）は一括選択信号が供給されている期間、第１の選択信号を供給する機能を備える。【００１０】第２の出力端子Ｇ２（ｉ）は第１のトリガ信号が供給されてから第２のトリガ信号が供給されるまでの期間において、第２のパルス幅変調信号に基づいて、第２の選択信号を供給する。【００１１】第３の出力端子ＯＵＴ（ｉ）は第３のトリガ信号を供給する。【００１２】（２）また、本発明の一態様は、第１のトランジスタＭ１３と、第２のトランジスタＭ２３と、第３のトランジスタＭ７と、ノードＧＮ１（ｉ）と、第１の配線ＧＶＳＳと、を有する上記のフリップ・フロップ回路ＳＲ（ｉ）である。【００１３】第１のトランジスタＭ１３は、ノードＧＮ１（ｉ）と電気的に接続されるゲート電極、第１の出力端子Ｇ１（ｉ）と電気的に接続される第１の電極および第３の入力端子Ｅ（ｉ）と電気的に接続される第２の電極を備える。また、第１のトランジスタＭ１３は、第１のトリガ信号が供給されてから第２のトリガ信号が供給されるまでの期間において、非導通状態である。【００１４】第２のトランジスタＭ２３は、ノードＧＮ１（ｉ）と電気的に接続されるゲート電極、第２の出力端子Ｇ２（ｉ）と電気的に接続される第１の電極および第１の配線ＧＶＳＳと電気的に接続される第２の電極を備える。また、第２のトランジスタＭ２３は、第１のトリガ信号が供給されてから第２のトリガ信号が供給されるまでの期間において、非導通状態である。【００１５】第３のトランジスタＭ７は、ノードＧＮ１（ｉ）と電気的に接続されるゲート電極、第３の出力端子ＯＵＴ（ｉ）と電気的に接続される第１の電極および第１の配線ＧＶＳＳと電気的に接続される第２の電極を備える。また、第３のトランジスタＭ７は、第１のトリガ信号が供給されてから第２のトリガ信号が供給されるまでの期間において、非導通状態である。【００１６】これにより、第１のトリガ信号が供給されてから第２のトリガ信号が供給されるまでの期間において、第１の選択信号および第２の選択信号を供給することができる。または、一括選択信号が供給されている期間に第１の選択信号を供給することができる。その結果、利便性、有用性または信頼性に優れた新規なフリップ・フロップ回路を提供することができる。【００１７】（３）また、本発明の一態様は、第４のトランジスタＭ２４と、第２の配線ＧＶＤＤと、を有する、上記フリップ・フロップ回路ＳＲ（ｉ）である。【００１８】第４のトランジスタＭ２４は、第２の配線ＧＶＤＤと電気的に接続されるゲート電極、ノードＧＮ１（ｉ）と電気的に接続される第１の電極および第１のトランジスタＭ１３のゲート電極と電気的に接続される第２の電極と、を備える。【００１９】これにより、第１のトリガ信号が供給されてから第２のトリガ信号が供給されるまでの期間を除く、一括選択信号がハイである期間ＴＢにおいて、第４のトランジスタＭ２４を非導通状態にすることができる。または、ノードＧＮ１（ｉ）の電位を、ＧＶＤＤが供給する電位からトランジスタＭ２４のしきい値電圧を減じた電位より低く抑制することができる。または、ノードＧＮ１（ｉ）の電位の上昇が第１のトランジスタＭ１３、第２のトランジスタＭ２３、第３のトランジスタＭ７、トランジスタＭ５およびトランジスタＭ１８にもたらすストレスを、抑制することができる。または、ノードＧＮ１（ｉ）の電位の上昇がトランジスタＭ１５およびトランジスタＭ１９にもたらすストレスを、抑制することができる。その結果、利便性、有用性または信頼性に優れた新規なフリップ・フロップ回路を提供することができる。【００２０】（４）また、本発明の一態様は、一群のフリップ・フロップ回路ＳＲ（１）乃至フリップ・フロップ回路ＳＲ（ｍ＋２）と、第３の配線ＶＥＥと、を有する駆動回路ＧＤである。【００２１】一群のフリップ・フロップ回路ＳＲ（１）乃至フリップ・フロップ回路ＳＲ（ｍ＋２）は、上記の第１のフリップ・フロップ回路ＳＲ（ｉ）、第２のフリップ・フロップ回路ＳＲ（ｉ＋１）および第３のフリップ・フロップ回路ＳＲ（ｉ＋２）を含む。【００２２】第２のフリップ・フロップ回路ＳＲ（ｉ＋１）は第１のフリップ・フロップ回路ＳＲ（ｉ）と電気的に接続され、第２のフリップ・フロップ回路ＳＲ（ｉ＋１）は第３のフリップ・フロップ回路ＳＲ（ｉ＋２）と電気的に接続され、第２のフリップ・フロップ回路ＳＲ（ｉ＋１）は第３のトリガ信号を供給される。【００２３】第３のフリップ・フロップ回路ＳＲ（ｉ＋２）は第２のトリガ信号を供給する。【００２４】第３の配線ＶＥＥは一括選択信号を供給する。第３の配線ＶＥＥは一群のフリップ・フロップ回路ＳＲ（１）乃至フリップ・フロップ回路ＳＲ（ｍ＋２）と電気的に接続される。【００２５】これにより、一群のフリップ・フロップ回路は、第１の選択信号を所定の順番で供給することができる。または、一群のフリップ・フロップ回路は、第２の選択信号を所定の順番で供給することができる。または、一群のフリップ・フロップ回路は、第１の選択信号を一斉に供給することができる。その結果、利便性、有用性または信頼性に優れた新規な駆動回路を提供することができる。【００２６】（５）また、本発明の一態様は、表示領域２３１と、上記の駆動回路ＧＤと、を有する表示パネルである。【００２７】表示領域２３１は、第１の走査線ＧＬ１（ｉ）、第２の走査線ＧＬ２（ｉ）、第１の信号線ＳＬ１（ｊ）、第２の信号線ＳＬ２（ｊ）および画素７０２（ｉ，ｊ）を備える。【００２８】画素７０２（ｉ，ｊ）は、表示素子７５０（ｉ，ｊ）および画素回路５３０（ｉ，ｊ）を備える。【００２９】表示素子７５０（ｉ，ｊ）は、画素回路５３０（ｉ，ｊ）と電気的に接続される。【００３０】画素回路５３０（ｉ，ｊ）は、第１の走査線ＧＬ１（ｉ）、第２の走査線ＧＬ２（ｉ）、第１の信号線ＳＬ１（ｊ）および第２の信号線ＳＬ２（ｊ）と電気的に接続される。【００３１】第１の走査線ＧＬ１（ｉ）は第１の出力端子Ｇ１（ｉ）と電気的に接続され、第２の走査線ＧＬ２（ｉ）は第２の出力端子Ｇ２（ｉ）と電気的に接続される。【００３２】これにより、第１の選択信号を第１の走査線ＧＬ１（ｉ）に供給することができる。または、第２の選択信号を第２の走査線ＧＬ２（ｉ）に供給することができる。または、第１の選択信号または第２の選択信号を用いて画素７０２（ｉ，ｊ）を駆動することができる。その結果、利便性、有用性または信頼性に優れた新規な表示パネルを提供することができる。【００３３】（６）また、本発明の一態様は、表示領域２３１が一群の画素７０２（ｉ，１）乃至画素７０２（ｉ，ｎ）および他の一群の画素７０２（１，ｊ）乃至画素７０２（ｍ，ｊ）を備える上記の表示パネルである。【００３４】一群の画素７０２（ｉ，１）乃至画素７０２（ｉ，ｎ）は、行方向に配設され、一群の画素７０２（ｉ，１）乃至画素７０２（ｉ，ｎ）は、画素７０２（ｉ，ｊ）を含む。【００３５】他の一群の画素７０２（１，ｊ）乃至画素７０２（ｍ，ｊ）は、行方向と交差する列方向に配設され、他の一群の画素７０２（１，ｊ）乃至画素７０２（ｍ，ｊ）は画素７０２（ｉ，ｊ）を含む。【００３６】第１の走査線ＧＬ１（ｉ）は一群の画素７０２（ｉ，１）乃至画素７０２（ｉ，ｎ）と電気的に接続され、第２の走査線ＧＬ２（ｉ）は一群の画素７０２（ｉ，１）乃至画素７０２（ｉ，ｎ）と電気的に接続される。【００３７】第１の信号線ＳＬ１（ｊ）は他の一群の画素７０２（１，ｊ）乃至画素７０２（ｍ，ｊ）と電気的に接続され、第２の信号線ＳＬ２（ｊ）は他の一群の画素７０２（１，ｊ）乃至画素７０２（ｍ，ｊ）と電気的に接続される。【００３８】これにより、複数の画素に画像情報を供給することができる。その結果、利便性、有用性または信頼性に優れた新規な表示パネルを提供することができる。【００３９】（７）また、本発明の一態様は、機能層５２０を有する上記の表示パネルである。機能層５２０は駆動回路ＧＤおよび画素回路５３０（ｉ，ｊ）を含む。【００４０】これにより、画素回路５３０（ｉ，ｊ）のトランジスタに用いる半導体膜を形成する工程において、駆動回路ＧＤのトランジスタに用いる半導体膜を形成することができる。または、部品点数を削減することができる。その結果、利便性、有用性または信頼性に優れた新規な表示パネルを提供することができる。【００４１】（８）また、本発明の一態様は、上記の表示パネル７００と、制御部２３８と、を有する表示装置である。【００４２】制御部２３８は画像情報ＶＩおよび制御情報ＣＩを供給され、制御部２３８は画像情報ＶＩに基づいて情報Ｖ１１を生成し、制御部２３８は制御情報ＣＩに基づいて制御信号ＳＰを生成する。また、制御部２３８は情報Ｖ１１および制御信号ＳＰを供給する。【００４３】表示パネル７００は情報Ｖ１１および制御信号ＳＰを供給され、画素７０２（ｉ，ｊ）は情報Ｖ１１に基づいて表示する。【００４４】これにより、表示素子を用いて画像情報を表示することができる。その結果、利便性、有用性または信頼性に優れた新規な表示装置を提供することができる。【００４５】（９）また、本発明の一態様は、入力部２４０と、表示部２３０と、を有する入出力装置である。【００４６】表示部２３０は上記の表示パネル７００を備える。【００４７】入力部２４０は、検知領域２４１を備え、入力部２４０は検知領域２４１に近接するものを検知する。【００４８】検知領域２４１は、画素７０２（ｉ，ｊ）と重なる領域を備える。【００４９】これにより、表示部を用いて画像情報を表示しながら、表示部と重なる領域に近接するものを検知することができる。または、表示部に近接させる指などをポインタに用いて、位置情報を入力することができる。または、位置情報を表示部に表示する画像情報に関連付けることができる。その結果、利便性、有用性または信頼性に優れた新規な入出力装置を提供することができる。【００５０】（１０）また、本発明の一態様は、演算装置２１０と、入出力装置２２０と、を有する情報処理装置である。【００５１】演算装置２１０は入力情報ＩＩまたは検知情報ＤＳを供給され、演算装置２１０は入力情報ＩＩまたは検知情報ＤＳに基づいて、制御情報ＣＩおよび画像情報ＶＩを生成する。また、演算装置２１０は制御情報ＣＩおよび画像情報ＶＩを供給する。【００５２】入出力装置２２０は入力情報ＩＩおよび検知情報ＤＳを供給し、入出力装置２２０は制御情報ＣＩおよび画像情報ＶＩを供給され、入出力装置２２０は、表示部２３０、入力部２４０および検知部２５０を備える。【００５３】表示部２３０は上記の表示パネル７００を備え、表示部２３０は制御情報ＣＩに基づいて、画像情報ＶＩを表示する。【００５４】入力部２４０は入力情報ＩＩを生成し、検知部２５０は検知情報ＤＳを生成する。【００５５】これにより、入力情報ＩＩまたは検知情報ＤＳに基づいて、制御情報ＣＩを生成することができる。または、入力情報ＩＩまたは検知情報ＤＳに基づいて、画像情報ＶＩを表示することができる。その結果、利便性、有用性または信頼性に優れた新規な情報処理装置を提供することができる。【００５６】（１１）また、本発明の一態様は、キーボード、ハードウェアボタン、ポインティングデバイス、タッチセンサ、照度センサ、撮像装置、音声入力装置、視線入力装置、姿勢検出装置、のうち一以上と、上記の表示パネルと、を含む、情報処理装置である。【００５７】これにより、さまざまな入力装置を用いて供給する情報に基づいて、画像情報または制御情報を演算装置に生成させることができる。その結果、利便性、有用性または信頼性に優れた新規な情報処理装置を提供することができる。【００５８】本明細書に添付した図面では、構成要素を機能ごとに分類し、互いに独立したブロックとしてブロック図を示しているが、実際の構成要素は機能ごとに完全に切り分けることが難しく、一つの構成要素が複数の機能に係わることもあり得る。【００５９】本明細書においてトランジスタが有するソースとドレインは、トランジスタの極性及び各端子に与えられる電位の高低によって、その呼び方が入れ替わる。一般的に、ｎチャネル型トランジスタでは、低い電位が与えられる端子がソースと呼ばれ、高い電位が与えられる端子がドレインと呼ばれる。また、ｐチャネル型トランジスタでは、低い電位が与えられる端子がドレインと呼ばれ、高い電位が与えられる端子がソースと呼ばれる。本明細書では、便宜上、ソースとドレインとが固定されているものと仮定して、トランジスタの接続関係を説明する場合があるが、実際には上記電位の関係に従ってソースとドレインの呼び方が入れ替わる。【００６０】本明細書においてトランジスタのソースとは、活性層として機能する半導体膜の一部であるソース領域、或いは上記半導体膜に接続されたソース電極を意味する。同様に、トランジスタのドレインとは、上記半導体膜の一部であるドレイン領域、或いは上記半導体膜に接続されたドレイン電極を意味する。また、ゲートはゲート電極を意味する。【００６１】本明細書においてトランジスタが直列に接続されている状態とは、例えば、第１のトランジスタのソースまたはドレインの一方のみが、第２のトランジスタのソースまたはドレインの一方のみに接続されている状態を意味する。また、トランジスタが並列に接続されている状態とは、第１のトランジスタのソースまたはドレインの一方が第２のトランジスタのソースまたはドレインの一方に接続され、第１のトランジスタのソースまたはドレインの他方が第２のトランジスタのソースまたはドレインの他方に接続されている状態を意味する。【００６２】本明細書において接続とは、電気的な接続を意味しており、電流、電圧または電位が、供給可能、或いは伝送可能な状態に相当する。従って、接続している状態とは、直接接続している状態を必ずしも指すわけではなく、電流、電圧または電位が、供給可能、或いは伝送可能であるように、配線、抵抗、ダイオード、トランジスタなどの回路素子を介して間接的に接続している状態も、その範疇に含む。【００６３】本明細書において回路図上は独立している構成要素どうしが接続されている場合であっても、実際には、例えば配線の一部が電極として機能する場合など、一の導電膜が、複数の構成要素の機能を併せ持っている場合もある。本明細書において接続とは、このような、一の導電膜が、複数の構成要素の機能を併せ持っている場合も、その範疇に含める。【００６４】また、本明細書中において、トランジスタの第１の電極または第２の電極の一方がソース電極を、他方がドレイン電極を指す。
【発明の効果】
【００６５】本発明の一態様によれば、利便性、有用性または信頼性に優れた新規なフリップ・フロップ回路を提供することができる。または、利便性、有用性または信頼性に優れた新規な駆動回路を提供することができる。または、利便性、有用性または信頼性に優れた新規な表示パネルを提供することができる。または、利便性、有用性または信頼性に優れた新規な表示装置を提供することができる。または、利便性、有用性または信頼性に優れた新規な入出力装置を提供することができる。または、利便性、有用性または信頼性に優れた新規な情報処理装置を提供することができる。または、新規なフリップ・フロップ回路、新規な駆動回路、新規な表示パネル、新規な表示装置、新規な入出力装置、新規な情報処理装置または、新規な半導体装置を提供することができる。【００６６】なお、これらの効果の記載は、他の効果の存在を妨げるものではない。なお、本発明の一態様は、必ずしも、これらの効果の全てを有する必要はない。なお、これら以外の効果は、明細書、図面、請求項などの記載から、自ずと明らかとなるものであり、明細書、図面、請求項などの記載から、これら以外の効果を抽出することが可能である。
【図面の簡単な説明】
【００６７】図１Ａ乃至図１Ｃは、実施の形態に係るフリップ・フロップ回路の構成を説明するブロック図である。
図２Ａおよび図２Ｂは、実施の形態に係るフリップ・フロップ回路の構成を説明する回路図である。
図３Ａおよび図３Ｂは、実施の形態に係るフリップ・フロップ回路の構成を説明する回路図である。
図４Ａおよび図４Ｂは、実施の形態に係るフリップ・フロップ回路を含む駆動回路の動作を説明するタイミングチャートである。
図５Ａおよび図５Ｂは、実施の形態に係るフリップ・フロップ回路を含む駆動回路の動作を説明するタイミングチャートである。
図６は、実施の形態に係る駆動回路の構成を説明するブロック図である。
図７Ａおよび図７Ｂは、実施の形態に係る表示パネルの構成を説明する図である。
図８Ａおよび図８Ｂは、実施の形態に係る表示パネルの構成を説明する図である。
図９は、実施の形態に係る表示パネルの構成を説明する図である。
図１０は、実施の形態に係る表示パネルの構成を説明するブロック図である。
図１１Ａおよび図１１Ｂは、実施の形態に係る表示パネルの構成を説明する断面図である。
図１２Ａおよび図１２Ｂは、実施の形態に係る表示パネルの構成を説明する断面図である。
図１３Ａ乃至図１３Ｄは、実施の形態に係る表示装置の構成を説明する図である。
図１４Ａ乃至図１４Ｃは、実施の形態に係る表示装置の構成を説明する図である。
図１５は、実施の形態に係る入出力装置の構成を説明するブロック図である。
図１６Ａ乃至図１６Ｃは、実施の形態に係る情報処理装置の構成を説明するブロック図および投影図である。
図１７Ａおよび図１７Ｂは、実施の形態に係る情報処理装置の駆動方法を説明するフローチャートである。
図１８Ａ乃至図１８Ｃは、実施の形態に係る情報処理装置の駆動方法を説明する図である。
図１９Ａ乃至図１９Ｅは、実施の形態に係る情報処理装置の構成を説明する図である。
図２０Ａ乃至図２０Ｅは、実施の形態に係る情報処理装置の構成を説明する図である。
図２１Ａおよび図２１Ｂは、実施の形態に係る情報処理装置の構成を説明する図である。
図２２は実施例に係る作製した表示装置の表示状態を説明する写真である。
【発明を実施するための形態】
【００６８】本発明の一態様のフリップ・フロップ回路は、第１乃至第５の入力端子および第１乃至第３の出力端子を有する。第１の入力端子は第１のトリガ信号を供給され、第２の入力端子は第２のトリガ信号を供給され、第３の入力端子は一括選択信号を供給され、第４の入力端子は第１のパルス幅変調信号を供給され、第５の入力端子は、第２のパルス幅変調信号を供給される。また、第１の出力端子は第１のトリガ信号が供給されてから第２のトリガ信号が供給されるまでの期間において、第１のパルス幅変調信号に基づいて、第１の選択信号を供給し、第１の出力端子は一括選択信号が供給されている期間、第１の選択信号を供給し、第２の出力端子は第１のトリガ信号が供給されてから第２のトリガ信号が供給されるまでの期間において、第２のパルス幅変調信号に基づいて、第２の選択信号を供給し、第３の出力端子は、第３のトリガ信号を供給する。
【００６９】これにより、第１のトリガ信号が供給されてから第２のトリガ信号が供給されるまでの期間において、第１の選択信号および第２の選択信号を供給することができる。または、一括選択信号が供給されている期間に第１の選択信号を供給することができる。その結果、利便性、有用性または信頼性に優れた新規なフリップ・フロップ回路を提供することができる。
【００７０】実施の形態について、図面を用いて詳細に説明する。但し、本発明は以下の説明に限定されず、本発明の趣旨及びその範囲から逸脱することなくその形態及び詳細を様々に変更し得ることは当業者であれば容易に理解される。従って、本発明は以下に示す実施の形態の記載内容に限定して解釈されるものではない。なお、以下に説明する発明の構成において、同一部分又は同様な機能を有する部分には同一の符号を異なる図面間で共通して用い、その繰り返しの説明は省略する。
【００７１】（実施の形態１）
本実施の形態では、本発明の一態様のフリップ・フロップ回路の構成について、図１乃至図５を参照しながら説明する。
【００７２】図１は本発明の一態様のフリップ・フロップ回路の構成を説明するブロック図である。図１Ａおよび図１Ｂは本発明の一態様のフリップ・フロップ回路が備える端子の構成を説明するブロック図であり、図１Ｃは本発明の一態様の複数のフリップ・フロップ回路を接続する例を説明するブロック図である。
【００７３】図２は本発明の一態様のフリップ・フロップ回路の構成を説明する図である。図２Ａは本発明の一態様のフリップ・フロップ回路の回路図であり、図２Ｂは図２Ａのフリップ・フロップ回路に接続して用いることができるフリップ・フロップ回路の回路図である。
【００７４】図３は本発明の一態様のフリップ・フロップ回路の構成を説明する図である。図３Ａは本発明の一態様のフリップ・フロップ回路の回路図であり、図３Ｂは図３Ａのフリップ・フロップ回路に接続して用いることができるフリップ・フロップ回路の回路図である。
【００７５】図４は本発明の一態様のフリップ・フロップ回路の動作を説明する図である。図４Ａは図２に示す本発明の一態様のフリップ・フロップ回路を含む駆動回路の動作を説明するタイミングチャートであり、図４Ｂは図３に示す本発明の一態様のフリップ・フロップ回路を含む駆動回路の動作を説明するタイミングチャートである。
【００７６】図５は本発明の一態様のフリップ・フロップ回路の動作を説明する図である。図５Ａは図２に示す本発明の一態様のフリップ・フロップ回路を含む駆動回路の、図４Ａとは異なる動作を説明するタイミングチャートであり、図５Ｂは図３に示す本発明の一態様のフリップ・フロップ回路を含む駆動回路の、図４Ｂとは異なる動作を説明するタイミングチャートである。
【００７７】なお、本明細書において、１以上の整数を値にとる変数を符号に用いる場合がある。例えば、１以上の整数の値をとる変数ｐを含む（ｐ）を、最大ｐ個の構成要素のいずれかを特定する符号の一部に用いる場合がある。また、例えば、１以上の整数の値をとる変数ｍおよび変数ｎを含む（ｍ，ｎ）を、最大ｍ×ｎ個の構成要素のいずれかを特定する符号の一部に用いる場合がある。
【００７８】＜フリップ・フロップ回路の構成例１．＞
本実施の形態で説明するフリップ・フロップ回路ＳＲ（ｉ）は、入力端子ＬＩＮ（ｉ）と、入力端子ＲＩＮ（ｉ）と、入力端子Ｅ（ｉ）と、入力端子Ａ（ｉ）と、入力端子Ｂ（ｉ）を有する。また、出力端子Ｇ１（ｉ）と、出力端子Ｇ２（ｉ）と、出力端子ＯＵＴ（ｉ）と、を有する（図１Ａ参照）。また、端子Ｃ１（ｉ）、端子Ｃ２（ｉ）および端子Ｃ３（ｉ）を有する。なお、配線ＣＬＫ１乃至配線ＣＬＫ４から一を選んで、端子Ｃ１（ｉ）乃至端子Ｃ３（ｉ）の一と電気的に接続する。例えば、端子Ｃ１（ｉ）を配線ＣＬＫ１と電気的に接続し、端子Ｃ２（ｉ）を配線ＣＬＫ２と電気的に接続し、端子Ｃ３（ｉ）を配線ＣＬＫ３と電気的に接続する。これにより、位相がシフトする複数のクロック信号を、端子Ｃ１（ｉ）乃至端子Ｃ３（ｉ）に供給することができる。
【００７９】《入力端子》
入力端子ＬＩＮ（ｉ）は第１のトリガ信号を供給され、入力端子ＲＩＮ（ｉ）は、第２のトリガ信号を供給される（図４Ａ参照）。
【００８０】入力端子Ｅ（ｉ）は一括選択信号を供給される。
【００８１】入力端子Ａ（ｉ）は第１のパルス幅変調信号を供給され、入力端子Ｂ（ｉ）は第２のパルス幅変調信号を供給される。
【００８２】《出力端子》
出力端子Ｇ１（ｉ）は、第１のトリガ信号が供給されてから第２のトリガ信号が供給されるまでの期間において、第１のパルス幅変調信号に基づいて、第１の選択信号を供給する。また、出力端子Ｇ１（ｉ）は、一括選択信号が供給されている期間、第１の選択信号を供給する（図４Ａおよび図５Ａ参照）。
【００８３】出力端子Ｇ２（ｉ）は、第１のトリガ信号が供給されてから第２のトリガ信号が供給されるまでの期間において、第２のパルス幅変調信号に基づいて、第２の選択信号を供給する。
【００８４】出力端子ＯＵＴ（ｉ）は、第３のトリガ信号を供給する。
【００８５】＜フリップ・フロップ回路の構成例２．＞
例えば、トランジスタＭ１、トランジスタＭ１６、トランジスタＭ３、トランジスタＭ４、トランジスタＭ６、トランジスタＭ１２、トランジスタＭ２２、トランジスタＭ５、トランジスタＭ１５、トランジスタＭ７、トランジスタＭ１３およびトランジスタＭ２３を、フリップ・フロップ回路ＳＲ（ｉ）に用いることができる（図２Ａ参照）。また、トランジスタＭ１７、トランジスタＭ２１、トランジスタＭ３１、トランジスタＭ１８，トランジスタＭ１９をフリップ・フロップ回路ＳＲ（ｉ）に用いることができる。また、容量素子Ｃ１、容量素子Ｃ２、容量素子Ｃ３、容量素子Ｃ４および容量素子Ｃ５を用いることができる。
【００８６】なお、本発明の一態様のフリップ・フロップ回路は、単極性のトランジスタで構成することができる。具体的には、ｎ型動作をするトランジスタで構成することができる。
【００８７】《トランジスタＭ１、トランジスタＭ１５、トランジスタＭ１９》
トランジスタＭ１、トランジスタＭ１５およびトランジスタＭ１９は、第１のトリガ信号を供給されるゲート電極を備える。なお、第１のトリガ信号に基づいて、トランジスタＭ１は配線ＧＶＤＤの電位をノードＧＮ４（ｉ）に供給する機能を備える。
【００８８】また、第１のトリガ信号に基づいて、トランジスタＭ１５およびトランジスタＭ１９は配線ＧＶＳＳの電位をノードＧＮ１（ｉ）に供給する機能を備える。これにより、フリップ・フロップ回路ＳＲ（ｉ）の動作を開始することができる。または、配線ＧＶＳＳの電位をノードＧＮ１（ｉ）に供給するまで、ノードＧＮ１（ｉ）をフローティング状態に保つことができる。
【００８９】《トランジスタＭ４》
トランジスタＭ４は、第２のトリガ信号を供給されるゲート電極を備える。なお、第２のトリガ信号に基づいて、トランジスタＭ４は配線ＧＶＤＤの電位をノードＧＮ１（ｉ）に供給する機能を備える。
【００９０】《トランジスタＭ６、トランジスタＭ１２、トランジスタＭ２２》
トランジスタＭ６、トランジスタＭ１２およびトランジスタＭ２２は、ノードＧＮ４（ｉ）と電気的に接続されるゲート電極を備える。なお、ノードＧＮ４（ｉ）の電位に基づいて、トランジスタＭ６は、第１のクロック信号を出力端子ＯＵＴ（ｉ）に供給する機能を備え、トランジスタＭ１２は、第１のパルス幅変調信号を出力端子Ｇ１（ｉ）に供給する機能を備え、トランジスタＭ２２は、第２のパルス幅変調信号を出力端子Ｇ２（ｉ）に供給する機能を備える。
【００９１】《トランジスタＭ５、トランジスタＭ１８、トランジスタＭ７、トランジスタＭ１３、トランジスタＭ２３》
トランジスタＭ５、トランジスタＭ１８、トランジスタＭ７、トランジスタＭ１３およびトランジスタＭ２３は、ノードＧＮ１（ｉ）と電気的に接続されるゲート電極を備える。なお、ノードＧＮ１（ｉ）の電位に基づいて、トランジスタＭ５およびトランジスタＭ１８は、配線ＧＶＳＳの電位をノードＧＮ４（ｉ）に供給する機能を備え、トランジスタＭ７は配線ＧＶＳＳの電位を出力端子ＯＵＴ（ｉ）に供給する機能を備え、トランジスタＭ１３は入力端子Ｅ（ｉ）の電位を出力端子Ｇ１（ｉ）に供給する機能を備え、トランジスタＭ２３は配線ＧＶＳＳの電位を出力端子Ｇ２（ｉ）に供給する機能を備える。
【００９２】《トランジスタＭ１６、トランジスタＭ３》
トランジスタＭ１６は、第２のクロック信号を供給されるゲート電極を備え、トランジスタＭ３は、第３のクロック信号を供給されるゲート電極を備える。なお、第２のクロック信号および第３のクロック信号が重なる期間、トランジスタＭ１６およびトランジスタＭ３は、配線ＧＶＤＤの電位をノードＧＮ１（ｉ）に供給する機能を備える。
【００９３】《トランジスタＭ２０》
トランジスタＭ２０は、端子Ｒ（ｉ）と電気的に接続されるゲート電極を備える。なお、端子Ｒ（ｉ）の電位に基づいて、トランジスタＭ２０は配線ＧＶＤＤの電位をノードＧＮ１（ｉ）に供給する。例えば、リセット信号を端子Ｒ（ｉ）に供給することができる。これにより、フリップ・フロップ回路ＳＲ（ｉ）をリセットすることができる。または、フリップ・フロップ回路ＳＲ（ｉ）を備えるシフトレジスタ回路をリセットすることができる。なお、フリップ・フロップ回路ＳＲ（ｉ）は、クロック信号を用いてリセットすることもできる。
【００９４】《トランジスタＭ１７、トランジスタＭ２１、トランジスタＭ３１》
トランジスタＭ１７、トランジスタＭ２１およびトランジスタＭ３１は、配線ＧＶＤＤの電位が供給されるゲート電極を備える。これにより、例えば、ノードＧＮ４（ｉ）の電位が配線ＧＶＤＤの電位より高くなる場合において、トランジスタＭ６、トランジスタＭ１２およびトランジスタＭ２２に加わるストレスを抑制することができる。または、ノードＧＮ４（ｉ）を用いて、出力を安定して供給できる。または、トランジスタＭ１、トランジスタＭ５およびトランジスタＭ１８が備える第１の電極および第２の電極間に加わるストレスを抑制することができる。
【００９５】なお、フリップ・フロップ回路ＳＲ（ｍ＋１）は、入力端子ＲＩＮ（ｉ）およびトランジスタＭ４を備えない点が異なるほかは、フリップ・フロップ回路ＳＲ（ｉ）と同様の構成を備える（図１Ｂおよび図２Ｂ参照）。また、シフトレジスタ回路の終段に用いることができる。なお、フリップ・フロップ回路ＳＲ（ｉ）に用いるトランジスタと比較して、チャネルが形成される領域の幅が広いトランジスタが、フリップ・フロップ回路ＳＲ（ｍ＋１）に好適である。具体的には、フリップ・フロップ回路ＳＲ（ｍ＋１）が備えるトランジスタＭ３またはトランジスタＭ１６のチャネルが形成される領域の幅は、フリップ・フロップ回路ＳＲ（ｉ）が備えるトランジスタＭ３またはトランジスタＭ１６のチャネルが形成される領域の幅より広い。
【００９６】＜フリップ・フロップ回路の構成例３．＞
また、本実施の形態で説明するフリップ・フロップ回路ＳＲ（ｉ）は、トランジスタＭ１３と、トランジスタＭ２３と、トランジスタＭ７と、ノードＧＮ１（ｉ）と、配線ＧＶＳＳと、を有する（図２Ａ、図２Ｂ、図３Ａおよび図３Ｂ参照）。
【００９７】《トランジスタＭ１３》
トランジスタＭ１３は、ノードＧＮ１（ｉ）と電気的に接続されるゲート電極、出力端子Ｇ１（ｉ）と電気的に接続される第１の電極および入力端子Ｅ（ｉ）と電気的に接続される第２の電極を備える。
【００９８】トランジスタＭ１３は、第１のトリガ信号が供給されてから第２のトリガ信号が供給されるまでの期間において、非導通状態である。
【００９９】《トランジスタＭ２３》
トランジスタＭ２３は、ノードＧＮ１（ｉ）と電気的に接続されるゲート電極、出力端子Ｇ２（ｉ）と電気的に接続される第１の電極および配線ＧＶＳＳと電気的に接続される第２の電極を備える。
【０１００】トランジスタＭ２３は、第１のトリガ信号が供給されてから第２のトリガ信号が供給されるまでの期間において、非導通状態である。
【０１０１】《トランジスタＭ７》
トランジスタＭ７は、ノードＧＮ１（ｉ）と電気的に接続されるゲート電極、出力端子ＯＵＴ（ｉ）と電気的に接続される第１の電極および配線ＧＶＳＳと電気的に接続される第２の電極を備える。
【０１０２】トランジスタＭ７は、第１のトリガ信号が供給されてから第２のトリガ信号が供給されるまでの期間において、非導通状態である。
【０１０３】これにより、第１のトリガ信号が供給されてから第２のトリガ信号が供給されるまでの期間において、第１の選択信号および第２の選択信号を供給することができる。または、一括選択信号が供給されている期間に第１の選択信号を供給することができる。その結果、利便性、有用性または信頼性に優れた新規なフリップ・フロップ回路を提供することができる。
【０１０４】＜フリップ・フロップ回路の構成例４．＞
また、本実施の形態で説明するフリップ・フロップ回路ＳＲ（ｉ）は、トランジスタＭ２４と、配線ＧＶＤＤと、を有する（図３Ａおよび図３Ｂ参照）。
【０１０５】トランジスタＭ２４は、配線ＧＶＤＤと電気的に接続されるゲート電極、ノードＧＮ１（ｉ）と電気的に接続される第１の電極およびトランジスタＭ１３のゲート電極と電気的に接続される第２の電極と、を備える。
【０１０６】これにより、第１のトリガ信号が供給されてから第２のトリガ信号が供給されるまでの期間を除く、一括選択信号がハイである期間ＴＢにおいて、トランジスタＭ２４を非導通状態にすることができる（図３Ｂまたは図４Ｂ参照）。または、ノードＧＮ１（ｉ）の電位を、配線ＧＶＤＤが供給する電位からトランジスタＭ２４のしきい値電圧を減じた電位より低く抑制することができる。または、ノードＧＮ１（ｉ）の電位の上昇がトランジスタＭ２３、トランジスタＭ７、トランジスタＭ５およびトランジスタＭ１８にもたらすストレスを、抑制することができる。または、ノードＧＮ１（ｉ）の電位の上昇がトランジスタＭ１５およびトランジスタＭ１９にもたらすストレスを、抑制することができる。その結果、利便性、有用性または信頼性に優れた新規なフリップ・フロップ回路を提供することができる。
【０１０７】《ノードＧＮ２（ｉ）の電位》
ノードＧＮ２（ｉ）は、第１のトリガ信号がハイである期間において配線ＧＶＤＤの電位が供給される（図２Ａ、図２Ｂおよび図４ＡＴ１参照）。また、ノードＧＮ２（ｉ）は、第１のトリガ信号および第２のトリガ信号がローであり、ノードＧＮ１（ｉ）の電位が、トランジスタＭ５のしきい値電圧を配線ＧＶＤＤが供給する電位に加えた値より低い期間、または、トランジスタＭ１８のしきい値電圧を配線ＧＶＤＤが供給する電位に加えた値より低い期間、においてフローティング状態を保つ（図４ＡＴ２参照）。
【０１０８】なお、ノードＧＮ２（ｉ）は、例えば、容量素子Ｃ２を介して、出力端子Ｇ１（ｉ）と容量結合する。
【０１０９】《ノードＧＮ１（ｉ）の電位》
ノードＧＮ１（ｉ）は、第１のトリガ信号がハイである期間において配線ＧＶＳＳの電位が供給される（図２Ａ、図２Ｂおよび図４ＡＴ１参照）。また、ノードＧＮ１（ｉ）は、第１のトリガ信号および第２のトリガ信号がローである期間においてフローティング状態を保つ（図４ＡＴ２参照）。
【０１１０】なお、例えば、容量素子Ｃ５を介して、ノードＧＮ１（ｉ）は、入力端子Ｅ（ｉ）と容量結合する。
【０１１１】例えば、フリップ・フロップ回路ＳＲ（ｉ）がトランジスタＭ２４を備えない場合、これにより、ノードＧＮ１（ｉ）の電位は入力端子Ｅ（ｉ）の電位の影響を受ける。または、ノードＧＮ１（ｉ）の電位は、例えば、一括選択信号の影響を受けて上昇する（図２Ａ、図２Ｂおよび図４ＡＴ３参照）。または、ノードＧＮ１（ｉ）の電位は、例えば、配線ＧＶＤＤが供給する電位に一括選択信号が供給する電圧を加えた電位に近づく。
【０１１２】一方、フリップ・フロップ回路ＳＲ（ｉ）がトランジスタＭ２４を備える場合、これにより、ノードＧＮ３（ｉ）の電位は入力端子Ｅ（ｉ）の電位の影響を受ける。または、ノードＧＮ３（ｉ）の電位は、例えば、一括選択信号の影響を受けて上昇する（図３Ａ、図３Ｂおよび図４ＢＴ３参照）。または、ノードＧＮ３（ｉ）の電位は、例えば、配線ＧＶＤＤが供給する電位に一括選択信号がハイである電圧を加えた電位に近づく。または、トランジスタＭ２４は、非導通状態になる。または、ノードＧＮ１（ｉ）の電位に対する一括選択信号の影響を抑制することができる。または、ノードＧＮ１（ｉ）の電位を、配線ＧＶＤＤが供給する電圧からトランジスタＭ２４のしきい値電圧を減じた電位より低く抑制することができる。または、一括選択信号がノードＧＮ１（ｉ）の電位におよぼす影響をなくすことができる。または、ノードＧＮ１（ｉ）と電気的に接続されるゲート電極を備えるトランジスタに与えるストレスを抑制することができる。または、トランジスタＭ１３、トランジスタＭ２３、トランジスタＭ７、トランジスタＭ５およびトランジスタＭ１８に与えるストレスを抑制することができる。または、トランジスタＭ１５およびトランジスタＭ１９に与えるストレスを抑制することができる。または、トランジスタＭ１６、トランジスタＭ４およびトランジスタＭ２０に与えるストレスを抑制することができる。その結果、利便性、有用性または信頼性に優れた新規なフリップ・フロップ回路を提供することができる。
【０１１３】なお、本実施の形態は、本明細書で示す他の実施の形態と適宜組み合わせることができる。
【０１１４】（実施の形態２）
本実施の形態では、本発明の一態様の駆動回路の構成について、図１および図６を参照しながら説明する。
【０１１５】図６は本発明の一態様の駆動回路の構成を説明するブロック図である。
【０１１６】＜駆動回路ＧＤの構成例＞
本実施の形態で説明する駆動回路ＧＤは、一群のフリップ・フロップ回路ＳＲ（１）乃至フリップ・フロップ回路ＳＲ（ｍ＋２）と、配線ＶＥＥと、を有する（図６参照）。また、配線ＲＥＳ、配線ＤＵＭ１（１）、配線ＤＵＭ２（１）、配線ＤＵＭ１（２）および配線ＤＵＭ２（２）を有する。
【０１１７】一群のフリップ・フロップ回路ＳＲ（１）乃至フリップ・フロップ回路ＳＲ（ｍ＋２）は、実施の形態１に記載のフリップ・フロップ回路ＳＲ（ｉ）、フリップ・フロップ回路ＳＲ（ｉ＋１）およびフリップ・フロップ回路ＳＲ（ｉ＋２）を含む。
【０１１８】《フリップ・フロップ回路ＳＲ（ｉ＋１）》
フリップ・フロップ回路ＳＲ（ｉ＋１）はフリップ・フロップ回路ＳＲ（ｉ）と電気的に接続され、フリップ・フロップ回路ＳＲ（ｉ＋１）は第３のトリガ信号を供給される（図１Ｃ参照）。
【０１１９】フリップ・フロップ回路ＳＲ（ｉ＋１）は、フリップ・フロップ回路ＳＲ（ｉ＋２）と電気的に接続される。
【０１２０】フリップ・フロップ回路ＳＲ（ｉ＋２）は、第２のトリガ信号を供給する。
【０１２１】《配線ＶＥＥ》
配線ＶＥＥは一括選択信号を供給し、配線ＶＥＥは一群のフリップ・フロップ回路ＳＲ（１）乃至フリップ・フロップ回路ＳＲ（ｍ＋２）と電気的に接続される。
【０１２２】これにより、一群のフリップ・フロップ回路は、第１の選択信号を所定の順番で供給することができる。または、一群のフリップ・フロップ回路は、第２の選択信号を所定の順番で供給することができる。または、一群のフリップ・フロップ回路は、第１の選択信号を一斉に供給することができる。その結果、利便性、有用性または信頼性に優れた新規な駆動回路を提供することができる。
【０１２３】《入力端子の接続例》
例えば、入力端子ＬＩＮ（ｉ）は配線ＳＰＬまたはフリップ・フロップ回路ＳＲ（ｉ−１）の出力端子ＯＵＴ（ｉ−１）と電気的に接続される（図１Ｃおよび図６参照）。なお、配線ＳＰＬはスタートパルス信号を供給し、フリップ・フロップ回路ＳＲ（ｉ−１）の出力端子ＯＵＴ（ｉ−１）は、第１のトリガ信号を供給する。
【０１２４】入力端子ＲＩＮ（ｉ）はフリップ・フロップ回路ＳＲ（ｉ＋２）のＯＵＴ（ｉ＋２）と電気的に接続される。なお、フリップ・フロップ回路ＳＲ（ｉ＋２）の出力端子ＯＵＴ（ｉ＋２）は第２のトリガ信号を供給する。
【０１２５】入力端子Ｅ（ｉ）は配線ＶＥＥと電気的に接続される。なお、配線ＶＥＥは一括選択信号を供給する。
【０１２６】入力端子Ａ（ｉ）は配線ＰＷＣＡ１乃至配線ＰＷＣＡ４のいずれか一と電気的に接続される。なお、配線ＰＷＣＡ１乃至配線ＰＷＣＡ４はいずれも第１のパルス幅変調信号を供給する。例えば、矩形波を第１のパルス幅変調信号に用いることができる（図４Ａまたは図５Ａ参照）。
【０１２７】入力端子Ｂ（ｉ）は配線ＰＷＣＢ１乃至配線ＰＷＣＢ４のいずれか一と電気的に接続される。なお、配線ＰＷＣＢ１乃至配線ＰＷＣＢ４はいずれもパルス幅変調信号を供給する。例えば、第１のパルス幅変調信号と同じ信号を第２のパルス幅変調信号に用いることができる（図４Ａ参照）。または、第１のパルス幅変調信号とは異なるパルス幅の信号を第２のパルス幅変調信号に用いることができる。具体的には、第１のパルス幅変調信号より短いパルス幅の信号を第２のパルス幅変調信号に用いることができる（図５Ａ参照）。
【０１２８】《出力端子の接続例》
出力端子Ｇ１（ｉ）は走査線ＧＬ１（ｉ）と電気的に接続され、出力端子Ｇ２（ｉ）は走査線ＧＬ２（ｉ）と電気的に接続される（図１Ｃおよび図６参照）。
【０１２９】出力端子ＯＵＴ（ｉ）はフリップ・フロップ回路ＳＲ（ｉ＋１）のＬＩＮ（ｉ＋１）およびフリップ・フロップ回路ＳＲ（ｉ−２）のＲＩＮ（ｉ）と電気的に接続される（図６参照）。
【０１３０】＜駆動回路ＧＤの動作例＞
本発明の一態様の駆動回路ＧＤは、選択信号を順番に供給する。例えば、期間ＴＡの間に、フリップ・フロップ回路ＳＲ（１）乃至フリップ・フロップ回路ＳＲ（ｍ＋２）は、順番に、選択信号を供給する（図４Ａおよび図５Ａ参照）。
【０１３１】また、本発明の一態様の駆動回路ＧＤは、一括選択信号を供給する。例えば、期間ＴＢの間に、フリップ・フロップ回路ＳＲ（１）乃至フリップ・フロップ回路ＳＲ（ｍ＋２）は、同時に、選択信号を供給する。
【０１３２】なお、期間ＴＡおよび期間ＴＢを含む期間を１サブフレーム（ＳＵＢ  ＦＲＡＭＥ）期間ということができる。
【０１３３】また、表示パネルの表示素子に、例えば、液晶素子を用いる場合は、１サブフレーム期間の終了後に、光源を点灯する期間ＬＩＧＨＴを設けることができる（図４Ａおよび図５Ａ参照）。
【０１３４】なお、本実施の形態は、本明細書で示す他の実施の形態と適宜組み合わせることができる。
【０１３５】（実施の形態３）
本実施の形態では、本発明の一態様の表示パネルの構成について、図７、図８および図１０を参照しながら説明する。
【０１３６】図７は本発明の一態様の表示パネルの構成を説明する図である。図７Ａは本発明の一態様の表示パネルの上面図であり、図７Ｂは図７Ａの一部である。
【０１３７】図８は本発明の一態様の表示パネルの構成を説明する図である。図８Ａは図７Ａの切断線Ｘ１−Ｘ２、Ｘ３−Ｘ４、Ｘ９−Ｘ１０および画素における断面図であり、図８Ｂは画素回路５３０（ｉ，ｊ）の構成を説明する回路図である。
【０１３８】図１０は、本発明の一態様の表示パネルの構成を説明する図である。
【０１３９】＜表示パネルの構成例１．＞
本実施の形態で説明する表示パネルは、表示領域２３１と、実施の形態２に記載の駆動回路ＧＤと、を有する（図１０参照）。
【０１４０】《表示領域２３１の構成例１．》
表示領域２３１は、走査線ＧＬ１（ｉ）、走査線ＧＬ２（ｉ）、信号線ＳＬ１（ｊ）、信号線ＳＬ２（ｊ）および画素７０２（ｉ，ｊ）を備える。
【０１４１】《画素７０２（ｉ，ｊ）の構成例１．》
画素７０２（ｉ，ｊ）は、表示素子７５０（ｉ，ｊ）および画素回路５３０（ｉ，ｊ）を備える（図８Ａ参照）。
【０１４２】《表示素子７５０（ｉ，ｊ）の構成例》
表示素子７５０（ｉ，ｊ）は、画素回路５３０（ｉ，ｊ）と電気的に接続される（図８Ａおよび図８Ｂ参照）。
【０１４３】例えば、光の反射、光の透過または光の射出を制御する素子を表示素子に用いることができる。具体的には、電気光学素子または発光素子を表示素子に用いることができる。
【０１４４】《画素回路５３０（ｉ，ｊ）の構成例１．》
画素回路５３０（ｉ，ｊ）は、走査線ＧＬ１（ｉ）、走査線ＧＬ２（ｉ）、信号線ＳＬ１（ｊ）および信号線ＳＬ２（ｊ）と電気的に接続される（図８Ｂ参照）。
【０１４５】走査線ＧＬ１（ｉ）は出力端子Ｇ１（ｉ）と電気的に接続され、走査線ＧＬ２（ｉ）は出力端子Ｇ２（ｉ）と電気的に接続される（図６参照）。
【０１４６】これにより、第１の選択信号を第１の走査線ＧＬ１（ｉ）に供給することができる。または、第２の選択信号を第２の走査線ＧＬ２（ｉ）に供給することができる。または、第１の選択信号または第２の選択信号を用いて画素７０２（ｉ，ｊ）を駆動することができる。その結果、利便性、有用性または信頼性に優れた新規な表示パネルを提供することができる。
【０１４７】例えば、スイッチ、トランジスタ、ダイオード、抵抗素子、インダクタまたは容量素子等を画素回路５３０（ｉ，ｊ）に用いることができる。具体的には、トランジスタをスイッチに用いることができる。
【０１４８】例えば、複数のトランジスタを画素回路に用いる場合、一のトランジスタの半導体膜を形成する工程において、他方の半導体膜を形成することができる。
【０１４９】《画素７０２（ｉ，ｊ）の構成例２．》
画素７０２（ｉ，ｊ）は、表示素子７５０（ｉ，ｊ）に液晶素子を用いることができる。
【０１５０】《画素回路５３０（ｉ，ｊ）の構成例２．》
画素回路５３０（ｉ，ｊ）は、容量素子Ｃ１１、スイッチＳＷ１１およびノードＮ１（ｉ，ｊ）を備える（図８Ｂ参照）。
【０１５１】スイッチＳＷ１１は、信号線ＳＬ２（ｊ）と電気的に接続される第１の端子を備え、表示素子７５０（ｉ，ｊ）の第１の電極と電気的に接続される第２の端子を備える。なお、スイッチＳＷ１１は、選択信号に基づいて導通状態または非導通状態を切り替える機能を備える。
【０１５２】容量素子Ｃ１１は、スイッチＳＷ１１の第２の端子と電気的に接続される第１の電極と、導電膜ＣＳＣＯＭと電気的に接続される第２の電極と、を備える。
【０１５３】表示素子７５０（ｉ，ｊ）はノードＮ１（ｉ，ｊ）の電位ＶＮに基づいて表示をする。
【０１５４】《画素回路５３０（ｉ，ｊ）の構成例３．》
画素回路５３０（ｉ，ｊ）は、容量素子Ｃ１１、容量素子Ｃ１２、スイッチＳＷ１１、スイッチＳＷ１２およびノードＮ１（ｉ，ｊ）を備える。
【０１５５】スイッチＳＷ１１は、信号線ＳＬ２（ｊ）と電気的に接続される第１の端子を備え、表示素子７５０（ｉ，ｊ）の第１の電極と電気的に接続される第２の端子を備える。なお、スイッチＳＷ１１は、第２の選択信号に基づいて導通状態または非導通状態を切り替える機能を備える。
【０１５６】容量素子Ｃ１１は、スイッチＳＷ１１の第２の端子と電気的に接続される第１の電極と、導電膜ＣＳＣＯＭと電気的に接続される第２の電極と、を備える。
【０１５７】スイッチＳＷ１２は、信号線ＳＬ１（ｊ）と電気的に接続される第１の端子を備える。なお、スイッチＳＷ１２は、第１の選択信号に基づいて導通状態または非導通状態を切り替える機能を備える。
【０１５８】容量素子Ｃ１２は、スイッチＳＷ１２の第２の端子と電気的に接続される第１の電極と、スイッチＳＷ１１の第２の端子と電気的に接続される第２の電極と、を備える。
【０１５９】表示素子７５０（ｉ，ｊ）はノードＮ１（ｉ，ｊ）の電位ＶＮに基づいて表示をする。
【０１６０】なお、スイッチＳＷ１１が非導通状態であるときに、スイッチＳＷ１２を非導通状態から導通状態に変化することができる。また、スイッチＳＷ１１が非導通状態であるときに、スイッチＳＷ１２を導通状態から非導通状態に変化することができる。
【０１６１】［第１のステップ］
第１のステップにおいて、スイッチＳＷ１１およびスイッチＳＷ１２を導通状態にする。例えば、第１の選択信号を走査線ＧＬ１（ｉ）に供給し、第２の選択信号を走査線ＧＬ２（ｉ）に供給する。
【０１６２】また、画像信号を容量素子Ｃ１２に供給する。例えば、信号線ＳＬ１（ｊ）が供給する電位と信号線ＳＬ２（ｊ）が供給する電位の電位差を用いて、画像信号を供給する。
【０１６３】［第２のステップ］
第２のステップにおいて、スイッチＳＷ１１を非導通状態に保ちながら、スイッチＳＷ１２を導通状態にする。例えば、一括選択信号を走査線ＧＬ１（ｉ）に供給する。
【０１６４】また、信号線ＳＬ１（ｉ）に所定の電位を供給し、容量素子Ｃ１２を介してノードＮ１（ｉ，ｊ）の電位をオフセットする。
【０１６５】［第３のステップ］
第３のステップにおいて、スイッチＳＷ１１およびスイッチＳＷ１２を非導通状態に保ちながら、ノードＮ１（ｉ，ｊ）の電位に基づいて、表示素子７５０（ｉ，ｊ）を用いて表示する。
【０１６６】これにより、ノードＮ１（ｉ，ｊ）の電位をスイッチＳＷ１１およびスイッチＳＷ１２を用いて制御することができる。または、スイッチＳＷ１１を用いてノードＮ１（ｉ，ｊ）の電位を制御し、スイッチＳＷ１２を用いてノードＮ１（ｉ，ｊ）の電位を変化することができる。または、変化する電位を表示素子７５０（ｉ，ｊ）に供給することができる。または、変化する電位に基づいて表示をすることができる。または、表示素子７５０（ｉ，ｊ）の表示を変化することができる。または、表示素子７５０（ｉ，ｊ）の動作を強調することができる。または、表示素子７５０（ｉ，ｊ）の応答を速めることができる。その結果、利便性、有用性または信頼性に優れた新規な表示パネルを提供することができる。
【０１６７】または、これにより、表示素子７５０（ｉ，ｊ）に高い電圧を供給することができる。または、例えば、表示素子７５０（ｉ，ｊ）の液晶材料を含む層７５３に大きな電界を印加することができる。または、高分子安定化された液晶材料の配向を制御することができる。その結果、利便性、有用性または信頼性に優れた新規な入出力装置を提供することができる。
【０１６８】《画素７０２（ｉ，ｊ）の構成例３．》
画素７０２（ｉ，ｊ）は、表示素子７５０（ｉ，ｊ）に発光素子を用いることができる（図９参照）。例えば、有機ＥＬ素子を表示素子７５０（ｉ，ｊ）に用いることができる。
【０１６９】《画素回路５３０（ｉ，ｊ）の構成例４．》
画素回路５３０（ｉ，ｊ）は、トランジスタＭ、容量素子Ｃ２１、スイッチＳＷ２１、ノードＮ１（ｉ，ｊ）、容量素子Ｃ２２およびスイッチＳＷ２２を備える（図９参照）。また、画素回路５３０（ｉ，ｊ）は、ノードＮ２（ｉ，ｊ）、スイッチＳＷ２３およびスイッチＳＷ２４を備える。
【０１７０】トランジスタＭは、導電膜ＡＮＯと電気的に接続される第１の電極を備える。
【０１７１】容量素子Ｃ２１は、トランジスタＭのゲート電極と電気的に接続される第１の電極と、トランジスタＭの第２の電極と電気的に接続される第２の電極を備える。
【０１７２】スイッチＳＷ２１は、信号線ＳＬ２（ｊ）と電気的に接続される第１の端子を備え、トランジスタＭのゲート電極と電気的に接続される第２の端子を備える。なお、スイッチＳＷ２１は、第２の選択信号に基づいて導通状態または非導通状態を切り替える機能を備える。
【０１７３】容量素子Ｃ２２は、トランジスタＭのゲート電極と電気的に接続される第１の電極を備える。
【０１７４】スイッチＳＷ２２は、信号線ＳＬ１（ｊ）と電気的に接続される第１の端子を備え、容量素子Ｃ２２の第２の電極と電気的に接続される第２の端子を備える。なお、スイッチＳＷ２２は、第１の選択信号に基づいて導通状態または非導通状態を切り替える機能を備える。
【０１７５】スイッチＳＷ２３は、トランジスタＭの第２の電極と電気的に接続される第１の端子と、導電膜Ｖ０と電気的に接続される第２の端子を備える。なお、スイッチＳＷ２３は、第１の選択信号に基づいて導通状態または非導通状態を切り替える機能を備える。
【０１７６】スイッチＳＷ２４は、トランジスタＭの第２の電極と電気的に接続される第１の端子と、表示素子７５０（ｉ，ｊ）と電気的に接続される第２の端子を備える。なお、スイッチＳＷ２４は、第３の選択信号に基づいて導通状態または非導通状態を切り替える機能を備える。なお、走査線ＧＬ３（ｉ）を用いて、第３の選択信号を供給することができる。
【０１７７】なお、スイッチＳＷ２１が非導通状態であるときに、スイッチＳＷ２２を非導通状態から導通状態に変化することができる。また、スイッチＳＷ２１が非導通状態であるときに、スイッチＳＷ２２を導通状態から非導通状態に変化することができる。
【０１７８】表示素子７５０（ｉ，ｊ）はノードＮ１（ｉ，ｊ）の電位ＶＮに基づいて表示をする。
【０１７９】これにより、ノードＮ１（ｉ，ｊ）の電位をスイッチＳＷ２１およびスイッチＳＷ２２を用いて制御することができる。または、スイッチＳＷ２１を用いてノードＮ１（ｉ，ｊ）の電位を制御し、スイッチＳＷ２２を用いてノードＮ１（ｉ，ｊ）の電位を変化することができる。または、変化する電位を表示素子７５０（ｉ，ｊ）に供給することができる。または、変化する電位に基づいて表示をすることができる。または、表示素子７５０（ｉ，ｊ）の表示を変化することができる。または、表示素子７５０（ｉ，ｊ）の動作を強調することができる。または、表示素子７５０（ｉ，ｊ）の応答を速めることができる。その結果、利便性、有用性または信頼性に優れた新規な表示パネルを提供することができる。
【０１８０】《表示領域２３１の構成例２．》
表示領域２３１は、一群の画素７０２（ｉ，１）乃至画素７０２（ｉ，ｎ）および他の一群の画素７０２（１，ｊ）乃至画素７０２（ｍ，ｊ）を備える（図１０参照）。
【０１８１】また、図示しないが、表示領域２３１は、導電膜ＣＳＣＯＭおよび導電膜ＶＣＯＭ１を有する。
【０１８２】一群の画素７０２（ｉ，１）乃至画素７０２（ｉ，ｎ）は、行方向（図中に矢印Ｒ１で示す方向）に配設され、一群の画素７０２（ｉ，１）乃至画素７０２（ｉ，ｎ）は画素７０２（ｉ，ｊ）を含む。
【０１８３】他の一群の画素７０２（１，ｊ）乃至画素７０２（ｍ，ｊ）は、行方向と交差する列方向（図中に矢印Ｃ１で示す方向）に配設され、他の一群の画素７０２（１，ｊ）乃至画素７０２（ｍ，ｊ）は、画素７０２（ｉ，ｊ）を含む。
【０１８４】走査線ＧＬ１（ｉ）は一群の画素７０２（ｉ，１）乃至画素７０２（ｉ，ｎ）と電気的に接続され、走査線ＧＬ２（ｉ）は一群の画素７０２（ｉ，１）乃至画素７０２（ｉ，ｎ）と電気的に接続される。
【０１８５】信号線ＳＬ１（ｊ）は他の一群の画素７０２（１，ｊ）乃至画素７０２（ｍ，ｊ）と電気的に接続され、信号線ＳＬ２（ｊ）は、他の一群の画素７０２（１，ｊ）乃至画素７０２（ｍ，ｊ）と電気的に接続される。
【０１８６】これにより、複数の画素に画像情報を供給することができる。その結果、利便性、有用性または信頼性に優れた新規な表示パネルを提供することができる。
【０１８７】《駆動回路ＧＤＡ、駆動回路ＧＤＢ》
駆動回路ＧＤＡおよび駆動回路ＧＤＢを駆動回路ＧＤに用いることができる。例えば、駆動回路ＧＤＡおよび駆動回路ＧＤＢは、制御信号ＳＰに基づいて選択信号を供給する機能を有する。
【０１８８】具体的には、制御信号ＳＰに基づいて、３０Ｈｚ以上、好ましくは６０Ｈｚ以上の頻度で、選択信号を一の走査線に供給する機能を備える。これにより、動画像をなめらかに表示することができる。
【０１８９】または、制御信号ＳＰに基づいて、３０Ｈｚ未満、好ましくは１Ｈｚ未満、より好ましくは一分に一回未満の頻度で選択信号を一の走査線に供給する機能を備える。これにより、フリッカーが抑制された静止画像を表示することができる。
【０１９０】複数の駆動回路を備える場合、例えば、駆動回路ＧＤＡが選択信号を供給する頻度と、駆動回路ＧＤＢが選択信号を供給する頻度とを、異ならせることができる。具体的には、静止画像を表示する一の領域に選択信号を供給する頻度より高い頻度で、動画像を表示する他の領域に選択信号を供給することができる。これにより、一の領域にフリッカーが抑制された静止画像を表示し、他の領域に滑らかに動画像を表示することができる。
【０１９１】ところで、フレーム周波数を可変にすることができる。または、例えば、１Ｈｚ以上１２０Ｈｚ以下のフレーム周波数で表示をすることができる。または、プログレッシブ方式を用いて、１２０Ｈｚのフレーム周波数で表示をすることができる。
【０１９２】《駆動回路ＳＤ》
駆動回路ＳＤは、情報Ｖ１１に基づいて画像信号を生成する機能と、当該画像信号を一の表示素子と電気的に接続される画素回路に供給する機能を備える（図１０参照）。
【０１９３】例えば、シフトレジスタ等のさまざまな順序回路等を駆動回路ＳＤに用いることができる。
【０１９４】例えば、シリコン基板上に形成された集積回路を駆動回路ＳＤに用いることができる。
【０１９５】例えば、ＣＯＧ（Ｃｈｉｐ  ｏｎ  ｇｌａｓｓ）法またはＣＯＦ（Ｃｈｉｐ  ｏｎ  Ｆｉｌｍ）法を用いて、集積回路を端子に接続することができる。具体的には、異方性導電膜を用いて、集積回路を端子に接続することができる。
【０１９６】なお、本実施の形態は、本明細書で示す他の実施の形態と適宜組み合わせることができる。
【０１９７】（実施の形態４）
本実施の形態では、本発明の一態様の表示パネルに用いることができる画素の構成について、図７乃至図１２を参照しながら説明する。
【０１９８】図１１は本発明の一態様の表示パネルの構成を説明する図である。図１１Ａは図７Ｂの切断線Ｙ１−Ｙ２における画素７０２（ｉ，ｊ）の断面図であり、図１１Ｂは図１１Ａの一部を説明する断面図である。
【０１９９】図１２は本発明の一態様の表示パネルの構成を説明する図である。図１２Ａは図７Ａの切断線Ｘ１−Ｘ２およびＸ３−Ｘ４における断面図であり、図１２Ｂは図１２Ａの一部（ＭＧ１）を説明する断面図である。
【０２００】＜表示パネル７００の構成例１．＞
本実施の形態で説明する表示パネルは、機能層５２０を有する（図８Ａ参照）。
【０２０１】《機能層５２０》
機能層５２０は、実施の形態２に記載の駆動回路ＧＤおよび実施の形態３に記載の画素回路５３０（ｉ，ｊ）を含む。なお、機能層５２０は開口部５９１Ａを備え、画素回路５３０（ｉ，ｊ）は、開口部５９１Ａにおいて表示素子７５０（ｉ，ｊ）と電気的に接続される。
【０２０２】これにより、画素回路５３０（ｉ，ｊ）のトランジスタに用いる半導体膜を形成する工程において、駆動回路ＧＤのトランジスタに用いる半導体膜を形成することができる。または、部品点数を削減することができる。その結果、利便性、有用性または信頼性に優れた新規な表示パネルを提供することができる。
【０２０３】《トランジスタの構成例》
例えば、ボトムゲート型のトランジスタまたはトップゲート型のトランジスタなどを、駆動回路ＧＤおよび画素回路５３０（ｉ，ｊ）に用いることができる（図１１および図１２参照）。
【０２０４】トランジスタは、半導体膜５０８、導電膜５０４、導電膜５１２Ａおよび導電膜５１２Ｂを備える（図１１Ｂ参照）。
【０２０５】半導体膜５０８は、導電膜５１２Ａと電気的に接続される領域５０８Ａ、導電膜５１２Ｂと電気的に接続される領域５０８Ｂを備える。半導体膜５０８は、領域５０８Ａおよび領域５０８Ｂの間に領域５０８Ｃを備える。
【０２０６】導電膜５０４は領域５０８Ｃと重なる領域を備え、導電膜５０４はゲート電極の機能を備える。
【０２０７】絶縁膜５０６は、半導体膜５０８および導電膜５０４の間に挟まれる領域を備える。絶縁膜５０６はゲート絶縁膜の機能を備える。
【０２０８】導電膜５１２Ａはソース電極の機能またはドレイン電極の機能の一方を備え、導電膜５１２Ｂはソース電極の機能またはドレイン電極の機能の他方を備える。
【０２０９】また、導電膜５２４をトランジスタに用いることができる。導電膜５２４は、導電膜５０４との間に半導体膜５０８を挟む領域を備える。導電膜５２４は、第２のゲート電極の機能を備える。導電膜５２４を、例えば、導電膜５０４と電気的に接続することができる。なお、導電膜５２４を走査線ＧＬ２（ｉ）に用いることができる。
【０２１０】なお、画素回路５３０（ｉ，ｊ）のトランジスタに用いる半導体膜を形成する工程において、駆動回路ＧＤのトランジスタに用いる半導体膜を形成することができる。
【０２１１】《半導体膜５０８の構成例１．》
例えば、１４族の元素を含む半導体を半導体膜５０８に用いることができる。具体的には、シリコンを含む半導体を半導体膜５０８に用いることができる。
【０２１２】［水素化アモルファスシリコン］
例えば、水素化アモルファスシリコンを半導体膜５０８に用いることができる。または、微結晶シリコンなどを半導体膜５０８に用いることができる。これにより、例えば、ポリシリコンを半導体膜５０８に用いる表示パネルより、表示ムラが少ない表示パネルを提供することができる。または、表示パネルの大型化が容易である。
【０２１３】［ポリシリコン］
例えば、ポリシリコンを半導体膜５０８に用いることができる。これにより、例えば、水素化アモルファスシリコンを半導体膜５０８に用いるトランジスタより、トランジスタの電界効果移動度を高くすることができる。または、例えば、水素化アモルファスシリコンを半導体膜５０８に用いるトランジスタより、駆動能力を高めることができる。または、例えば、水素化アモルファスシリコンを半導体膜５０８に用いるトランジスタより、画素の開口率を向上することができる。
【０２１４】または、例えば、水素化アモルファスシリコンを半導体膜５０８に用いるトランジスタより、トランジスタの信頼性を高めることができる。
【０２１５】または、トランジスタの作製に要する温度を、例えば、単結晶シリコンを用いるトランジスタより、低くすることができる。
【０２１６】または、駆動回路のトランジスタに用いる半導体膜を、画素回路のトランジスタに用いる半導体膜と同一の工程で形成することができる。または、画素回路を形成する基板と同一の基板上に駆動回路を形成することができる。または、電子機器を構成する部品数を低減することができる。
【０２１７】［単結晶シリコン］
例えば、単結晶シリコンを半導体膜５０８に用いることができる。これにより、例えば、水素化アモルファスシリコンを半導体膜５０８に用いる表示パネルより、精細度を高めることができる。または、例えば、ポリシリコンを半導体膜５０８に用いる表示パネルより、表示ムラが少ない表示パネルを提供することができる。または、例えば、スマートグラスまたはヘッドマウントディスプレイを提供することができる。
【０２１８】《半導体膜５０８の構成例２．》
例えば、金属酸化物を半導体膜５０８に用いることができる。これにより、アモルファスシリコンを半導体膜に用いたトランジスタを利用する画素回路と比較して、画素回路が画像信号を保持することができる時間を長くすることができる。具体的には、フリッカーの発生を抑制しながら、選択信号を３０Ｈｚ未満、好ましくは１Ｈｚ未満、より好ましくは一分に一回未満の頻度で供給することができる。その結果、情報処理装置の使用者に蓄積する疲労を低減することができる。また、駆動に伴う消費電力を低減することができる。
【０２１９】例えば、酸化物半導体を用いるトランジスタを利用することができる。具体的には、インジウムを含む酸化物半導体またはインジウムとガリウムと亜鉛を含む酸化物半導体を半導体膜に用いることができる。
【０２２０】一例を挙げれば、オフ状態におけるリーク電流が、半導体膜にアモルファスシリコンを用いたトランジスタより小さいトランジスタを用いることができる。具体的には、酸化物半導体を半導体膜に用いたトランジスタを用いることができる。
【０２２１】例えば、インジウム、ガリウムおよび亜鉛を含む厚さ２５ｎｍの膜を、半導体膜５０８に用いることができる。
【０２２２】例えば、タンタルおよび窒素を含む厚さ１０ｎｍの膜と、銅を含む厚さ３００ｎｍの膜と、を積層した導電膜を導電膜５０４に用いることができる。なお、銅を含む膜は、絶縁膜５０６との間に、タンタルおよび窒素を含む膜を挟む領域を備える。
【０２２３】例えば、シリコンおよび窒素を含む厚さ４００ｎｍの膜と、シリコン、酸素および窒素を含む厚さ２００ｎｍの膜と、を積層した積層膜を、絶縁膜５０６に用いることができる。なお、シリコンおよび窒素を含む膜は、半導体膜５０８との間に、シリコン、酸素および窒素を含む膜を挟む領域を備える。
【０２２４】例えば、タングステンを含む厚さ５０ｎｍの膜と、アルミニウムを含む厚さ４００ｎｍの膜と、チタンを含む厚さ１００ｎｍの膜と、をこの順で積層した導電膜を、導電膜５１２Ａまたは導電膜５１２Ｂに用いることができる。なお、タングステンを含む膜は、半導体膜５０８と接する領域を備える。
【０２２５】ところで、例えば、アモルファスシリコンを半導体に用いるボトムゲート型のトランジスタの製造ラインは、酸化物半導体を半導体に用いるボトムゲート型のトランジスタの製造ラインに容易に改造できる。また、例えばポリシリコンを半導体に用いるトップゲート型のトランジスタの製造ラインは、酸化物半導体を半導体に用いるトップゲート型のトランジスタの製造ラインに容易に改造できる。いずれの改造も、既存の製造ラインを有効に活用することができる。
【０２２６】これにより、チラツキを抑制することができる。または、消費電力を低減することができる。または、動きの速い動画を滑らかに表示することができる。または、豊かな階調で写真等を表示することができる。その結果、利便性、有用性または信頼性に優れた新規な表示パネルを提供することができる。
【０２２７】《半導体膜５０８の構成例３．》
例えば、化合物半導体をトランジスタの半導体に用いることができる。具体的には、ガリウムヒ素を含む半導体を用いることができる。
【０２２８】例えば、有機半導体をトランジスタの半導体に用いることができる。具体的には、ポリアセン類またはグラフェンを含む有機半導体を半導体膜に用いることができる。
【０２２９】《容量素子の構成例１．》
容量素子は、一の導電膜、他の導電膜および絶縁膜を備える。当該絶縁膜は一の導電膜および他の導電膜の間に挟まる領域を備える。
【０２３０】例えば、導電膜５０４と、導電膜５１２Ａと、絶縁膜５０６を容量素子に用いることができる。
【０２３１】容量素子Ｃ１２は、導電膜７５４（ｉ，ｊ）、電極７５１（ｉ，ｊ）および絶縁膜５２１Ｂを備える（図１１Ａ参照）。
【０２３２】《機能層５２０の構成例１．》
また、機能層５２０は、絶縁膜５２１、絶縁膜５１８、絶縁膜５１６、絶縁膜５０６および絶縁膜５０１Ｃ等を備える（図１１Ａ参照）。
【０２３３】絶縁膜５２１は、画素回路５３０（ｉ，ｊ）および表示素子７５０（ｉ，ｊ）の間に挟まれる領域を備える。
【０２３４】絶縁膜５１８は、絶縁膜５２１および絶縁膜５０１Ｃの間に挟まれる領域を備える。
【０２３５】絶縁膜５１６は絶縁膜５１８および絶縁膜５０１Ｃの間に挟まれる領域を備える。
【０２３６】絶縁膜５０６は絶縁膜５１６および絶縁膜５０１Ｃの間に挟まれる領域を備える。
【０２３７】［絶縁膜５２１］
例えば、絶縁性の無機材料、絶縁性の有機材料または無機材料と有機材料を含む絶縁性の複合材料を、絶縁膜５２１に用いることができる。
【０２３８】具体的には、無機酸化物膜、無機窒化物膜または無機酸化窒化物膜等またはこれらから選ばれた複数を積層した積層材料を、絶縁膜５２１に用いることができる。
【０２３９】例えば、酸化シリコン膜、窒化シリコン膜、酸化窒化シリコン膜、酸化アルミニウム膜等またはこれらから選ばれた複数を積層した積層材料を含む膜を、絶縁膜５２１に用いることができる。なお、窒化シリコン膜は緻密な膜であり、不純物の拡散を抑制する機能に優れる。
【０２４０】例えば、ポリエステル、ポリオレフィン、ポリアミド、ポリイミド、ポリカーボネート、ポリシロキサン若しくはアクリル樹脂等またはこれらから選択された複数の樹脂の積層材料もしくは複合材料などを絶縁膜５２１に用いることができる。また、感光性を有する材料を用いて形成してもよい。これにより、絶縁膜５２１は、例えば、絶縁膜５２１と重なるさまざまな構造に由来する段差を平坦化することができる。
【０２４１】なお、ポリイミドは熱的安定性、絶縁性、靱性、低誘電率、低熱膨張率、耐薬品性などの特性において他の有機材料に比べて優れた特性を備える。これにより、特にポリイミドを絶縁膜５２１等に好適に用いることができる。
【０２４２】例えば、感光性を有する材料を用いて形成された膜を絶縁膜５２１に用いることができる。具体的には、感光性のポリイミドまたは感光性のアクリル樹脂等を用いて形成された膜を絶縁膜５２１に用いることができる。
【０２４３】［絶縁膜５１８］
例えば、絶縁膜５２１に用いることができる材料を含む絶縁膜５１８に用いることができる。
【０２４４】例えば、酸素、水素、水、アルカリ金属、アルカリ土類金属等の拡散を抑制する機能を備える材料を絶縁膜５１８に用いることができる。具体的には、窒化物絶縁膜を絶縁膜５１８に用いることができる。例えば、窒化シリコン、窒化酸化シリコン、窒化アルミニウム、窒化酸化アルミニウム等を絶縁膜５１８に用いることができる。これにより、トランジスタの半導体膜への不純物の拡散を抑制することができる。
【０２４５】［絶縁膜５１６］
例えば、絶縁膜５２１に用いることができる材料を絶縁膜５１６に用いることができる。
【０２４６】具体的には、絶縁膜５１８とは作製方法が異なる膜を絶縁膜５１６に用いることができる。
【０２４７】［絶縁膜５０６］
例えば、絶縁膜５２１に用いることができる材料を絶縁膜５０６に用いることができる。
【０２４８】具体的には、酸化シリコン膜、酸化窒化シリコン膜、窒化酸化シリコン膜、窒化シリコン膜、酸化アルミニウム膜、酸化ハフニウム膜、酸化イットリウム膜、酸化ジルコニウム膜、酸化ガリウム膜、酸化タンタル膜、酸化マグネシウム膜、酸化ランタン膜、酸化セリウム膜または酸化ネオジム膜を含む膜を絶縁膜５０６に用いることができる。
【０２４９】［絶縁膜５０１Ｃ］
例えば、絶縁膜５２１に用いることができる材料を絶縁膜５０１Ｃに用いることができる。具体的には、シリコンおよび酸素を含む材料を絶縁膜５０１Ｃに用いることができる。これにより、画素回路または表示素子等への不純物の拡散を抑制することができる。
【０２５０】《機能層５２０の構成例２．》
機能層５２０は、導電膜、配線および端子を備える。導電性を備える材料を配線、電極、端子、導電膜等に用いることができる。
【０２５１】《配線等》
例えば、無機導電性材料、有機導電性材料、金属または導電性セラミックスなどを配線等に用いることができる。
【０２５２】具体的には、アルミニウム、金、白金、銀、銅、クロム、タンタル、チタン、モリブデン、タングステン、ニッケル、鉄、コバルト、パラジウムまたはマンガンから選ばれた金属元素などを、配線等に用いることができる。または、上述した金属元素を含む合金などを、配線等に用いることができる。特に、銅とマンガンの合金がウエットエッチング法を用いた微細加工に好適である。
【０２５３】具体的には、アルミニウム膜上にチタン膜を積層する二層構造、窒化チタン膜上にチタン膜を積層する二層構造、窒化チタン膜上にタングステン膜を積層する二層構造、窒化タンタル膜または窒化タングステン膜上にタングステン膜を積層する二層構造、チタン膜と、そのチタン膜上にアルミニウム膜を積層し、さらにその上にチタン膜を形成する三層構造等を配線等に用いることができる。
【０２５４】具体的には、酸化インジウム、インジウム錫酸化物、インジウム亜鉛酸化物、酸化亜鉛、ガリウムを添加した酸化亜鉛などの導電性酸化物を、配線等に用いることができる。
【０２５５】具体的には、グラフェンまたはグラファイトを含む膜を配線等に用いることができる。
【０２５６】例えば、酸化グラフェンを含む膜を形成し、酸化グラフェンを含む膜を還元することにより、グラフェンを含む膜を形成することができる。還元する方法としては、熱を加える方法や還元剤を用いる方法等を挙げることができる。
【０２５７】例えば、金属ナノワイヤーを含む膜を配線等に用いることができる。具体的には、銀を含むナノワイヤーを用いることができる。
【０２５８】具体的には、導電性高分子を配線等に用いることができる。
【０２５９】なお、例えば、導電材料ＡＣＦ１を用いて、端子５１９Ｂをフレキシブルプリント基板ＦＰＣ１と電気的に接続することができる（図８Ａ参照）。具体的には、導電材料ＣＰを用いて、端子５１９Ｂをフレキシブルプリント基板ＦＰＣ１と電気的に接続することができる。
【０２６０】＜表示パネル７００の構成例２．＞
また、表示パネル７００は、基材５１０、基材７７０および封止材７０５を備える（図１２Ａ参照）。
【０２６１】《基材５１０、基材７７０》
透光性を備える材料を、基材５１０または基材７７０に用いることができる。
【０２６２】例えば、可撓性を有する材料を基材５１０または基材７７０に用いることができる。これにより、可撓性を備える表示パネルを提供することができる。
【０２６３】例えば、厚さ０．７ｍｍ以下厚さ０．１ｍｍ以上の材料を用いることができる。具体的には、厚さ０．１ｍｍ程度まで研磨した材料を用いることができる。これにより、重量を低減することができる。
【０２６４】ところで、第６世代（１５００ｍｍ×１８５０ｍｍ）、第７世代（１８７０ｍｍ×２２００ｍｍ）、第８世代（２２００ｍｍ×２４００ｍｍ）、第９世代（２４００ｍｍ×２８００ｍｍ）、第１０世代（２９５０ｍｍ×３４００ｍｍ）等のガラス基板を基材５１０または基材７７０に用いることができる。これにより、大型の表示装置を作製することができる。
【０２６５】有機材料、無機材料または有機材料と無機材料等の複合材料等を基材５１０または基材７７０に用いることができる。
【０２６６】例えば、ガラス、セラミックス、金属等の無機材料を用いることができる。具体的には、無アルカリガラス、ソーダ石灰ガラス、カリガラス、クリスタルガラス、アルミノ珪酸ガラス、強化ガラス、化学強化ガラス、石英またはサファイア等を、基材５１０または基材７７０に用いることができる。または、アルミノ珪酸ガラス、強化ガラス、化学強化ガラスまたはサファイア等を、表示パネルの使用者に近い側に配置される基材５１０または基材７７０に好適に用いることができる。これにより、使用に伴う表示パネルの破損や傷付きを防止することができる。
【０２６７】具体的には、無機酸化物膜、無機窒化物膜または無機酸窒化物膜等を用いることができる。例えば、酸化シリコン膜、窒化シリコン膜、酸化窒化シリコン膜、酸化アルミニウム膜等を用いることができる。ステンレス・スチールまたはアルミニウム等を基材５１０または基材７７０に用いることができる。
【０２６８】例えば、シリコンや炭化シリコンからなる単結晶半導体基板、多結晶半導体基板、シリコンゲルマニウム等の化合物半導体基板、ＳＯＩ基板等を基材５１０または基材７７０に用いることができる。これにより、半導体素子を基材５１０または基材７７０に形成することができる。
【０２６９】例えば、樹脂、樹脂フィルムまたはプラスチック等の有機材料を基材５１０または基材７７０に用いることができる。具体的には、ポリエステル、ポリオレフィン、ポリアミド（ナイロン、アラミド等）、ポリイミド、ポリカーボネート、ポリウレタンまたはアクリル樹脂、エポキシ樹脂含またはシロキサン結合を有する樹脂を含む材料を基材５１０または基材７７０に用いることができる。例えば、これらの材料を含む樹脂フィルム、樹脂板または積層材料等を用いることができる。これにより、重量を低減することができる。または、例えば、落下に伴う破損等の発生頻度を低減することができる。
【０２７０】具体的には、ポリエチレンテレフタレート（ＰＥＴ）、ポリエチレンナフタレート（ＰＥＮ）、ポリエーテルサルフォン（ＰＥＳ）、シクロオレフィンポリマー（ＣＯＰ）またはシクロオレフィンコポリマー（ＣＯＣ）等を基材５１０または基材７７０に用いることができる。
【０２７１】例えば、金属板、薄板状のガラス板または無機材料等の膜と樹脂フィルム等を貼り合わせた複合材料を基材５１０または基材７７０に用いることができる。例えば、繊維状または粒子状の金属、ガラスもしくは無機材料等を樹脂に分散した複合材料を基材５１０または基材７７０に用いることができる。例えば、繊維状または粒子状の樹脂もしくは有機材料等を無機材料に分散した複合材料を基材５１０または基材７７０に用いることができる。
【０２７２】また、単層の材料または複数の層が積層された材料を、基材５１０または基材７７０に用いることができる。例えば、絶縁膜等が積層された材料を用いることができる。具体的には、酸化シリコン層、窒化シリコン層または酸化窒化シリコン層等から選ばれた一または複数の膜が積層された材料を用いることができる。これにより、例えば、基材に含まれる不純物の拡散を防ぐことができる。または、ガラスまたは樹脂に含まれる不純物の拡散を防ぐことができる。または、樹脂を透過する不純物の拡散を防ぐことができる。
【０２７３】また、紙または木材などを基材５１０または基材７７０に用いることができる。
【０２７４】例えば、作製工程中の熱処理に耐えうる程度の耐熱性を有する材料を基材５１０または基材７７０に用いることができる。具体的には、トランジスタまたは容量素子等を直接形成する作成工程中に加わる熱に耐熱性を有する材料を、基材５１０または基材７７０に用いることができる。
【０２７５】例えば、作製工程中に加わる熱に耐熱性を有する工程用基板に絶縁膜、トランジスタまたは容量素子等を形成し、形成された絶縁膜、トランジスタまたは容量素子等を、例えば、基材５１０または基材７７０に転置する方法を用いることができる。これにより、例えば、可撓性を有する基板に絶縁膜、トランジスタまたは容量素子等を形成できる。
【０２７６】《封止材７０５》
封止材７０５は、機能層５２０および基材７７０の間に挟まれる領域を備え、機能層５２０および基材７７０を貼り合わせる機能を備える（図１２参照）。
【０２７７】無機材料、有機材料または無機材料と有機材料の複合材料等を封止材７０５に用いることができる。
【０２７８】例えば、熱溶融性の樹脂または硬化性の樹脂等の有機材料を、封止材７０５に用いることができる。
【０２７９】例えば、反応硬化型接着剤、光硬化型接着剤、熱硬化型接着剤または／および嫌気型接着剤等の有機材料を封止材７０５に用いることができる。
【０２８０】具体的には、エポキシ樹脂、アクリル樹脂、シリコーン樹脂、フェノール樹脂、ポリイミド樹脂、イミド樹脂、ＰＶＣ（ポリビニルクロライド）樹脂、ＰＶＢ（ポリビニルブチラル）樹脂、ＥＶＡ（エチレンビニルアセテート）樹脂等を含む接着剤を封止材７０５に用いることができる。
【０２８１】＜表示パネル７００の構成例３．＞
表示パネル７００は、構造体ＫＢ１または機能膜７７０Ｐなどを備える（図１１Ａ参照）。なお、着色膜または遮光膜などを機能層５２０および基材７７０の間に用いることができる。
【０２８２】《構造体ＫＢ１》
構造体ＫＢ１は、機能層５２０および基材７７０の間に挟まれる領域を備える。また、構造体ＫＢ１は、機能層５２０および基材７７０の間に所定の間隙を設ける機能を備える。
【０２８３】《機能膜７７０Ｐ等》
機能膜７７０Ｐは、表示素子７５０（ｉ，ｊ）と重なる領域を備える。
【０２８４】例えば、反射防止フィルム、偏光フィルム、位相差フィルム、光拡散フィルムまたは集光フィルム等を機能膜７７０Ｐに用いることができる。
【０２８５】例えば、厚さ１μｍ以下の反射防止膜を、機能膜７７０Ｐに用いることができる。具体的には、誘電体を３層以上、好ましくは５層以上、より好ましくは１５層以上積層した積層膜を機能膜７７０Ｐに用いることができる。これにより、反射率を０．５％以下好ましくは０．０８％以下に抑制することができる。
【０２８６】例えば、円偏光フィルムを機能膜７７０Ｐに用いることができる。
【０２８７】また、ゴミの付着を抑制する帯電防止膜、汚れを付着しにくくする撥水性の膜、汚れを付着しにくくする撥油性の膜、反射防止膜（アンチ・リフレクション膜）、非光沢処理膜（アンチ・グレア膜）、使用に伴う傷の発生を抑制するハードコート膜、使用に伴う傷の発生を抑制する自己修復性のフィルムなどを、機能膜７７０Ｐに用いることができる。
【０２８８】《表示素子の構成例》
例えば、光の反射、光の透過または光の射出を制御する素子を表示素子に用いることができる。具体的には、電気光学素子または発光素子を表示素子に用いることができる。
【０２８９】《表示素子７５０（ｉ，ｊ）の構成例１．》
例えば、液晶素子、電気泳動素子、電子インクなどを、表示素子７５０（ｉ，ｊ）に用いることができる（図１１Ａ参照）。
【０２９０】例えば、反射型の液晶素子を表示素子７５０（ｉ，ｊ）に用いることができる。反射型の表示素子を用いることにより、表示パネルの消費電力を抑制することができる。
【０２９１】例えば、透過型の液晶素子を表示素子７５０（ｉ，ｊ）に用いることができる。また、表示パネル７００は、バックライトＢＬが射出する光の透過を制御して、画像を表示する機能を備える。
【０２９２】《液晶素子の構成例１．》
例えば、ＩＰＳ（Ｉｎ−Ｐｌａｎｅ−Ｓｗｉｔｃｈｉｎｇ）モード、ＴＮ（Ｔｗｉｓｔｅｄ  Ｎｅｍａｔｉｃ）モード、ＦＦＳ（Ｆｒｉｎｇｅ  Ｆｉｅｌｄ  Ｓｗｉｔｃｈｉｎｇ）モード、ＡＳＭ（Ａｘｉａｌｌｙ  Ｓｙｍｍｅｔｒｉｃ  ａｌｉｇｎｅｄ  Ｍｉｃｒｏ−ｃｅｌｌ）モード、ＯＣＢ（Ｏｐｔｉｃａｌｌｙ  Ｃｏｍｐｅｎｓａｔｅｄ  Ｂｉｒｅｆｒｉｎｇｅｎｃｅ）モード、ＦＬＣ（Ｆｅｒｒｏｅｌｅｃｔｒｉｃ  Ｌｉｑｕｉｄ  Ｃｒｙｓｔａｌ）モード、ＡＦＬＣ（Ａｎｔｉ  Ｆｅｒｒｏｅｌｅｃｔｒｉｃ  Ｌｉｑｕｉｄ  Ｃｒｙｓｔａｌ）モードなどの駆動方法を用いて駆動することができる液晶素子を用いることができる。
【０２９３】また、例えば垂直配向（ＶＡ）モード、具体的には、ＭＶＡ（Ｍｕｌｔｉ−Ｄｏｍａｉｎ  Ｖｅｒｔｉｃａｌ  Ａｌｉｇｎｍｅｎｔ）モード、ＰＶＡ（Ｐａｔｔｅｒｎｅｄ  Ｖｅｒｔｉｃａｌ  Ａｌｉｇｎｍｅｎｔ）モード、ＥＣＢ（Ｅｌｅｃｔｒｉｃａｌｌｙ  Ｃｏｎｔｒｏｌｌｅｄ  Ｂｉｒｅｆｒｉｎｇｅｎｃｅ）モード、ＣＰＡ（Ｃｏｎｔｉｎｕｏｕｓ  Ｐｉｎｗｈｅｅｌ  Ａｌｉｇｎｍｅｎｔ）モード、ＡＳＶ（Ａｄｖａｎｃｅｄ  Ｓｕｐｅｒ−Ｖｉｅｗ）モードなどの駆動方法を用いて駆動することができる液晶素子を用いることができる。
【０２９４】《表示素子７５０（ｉ，ｊ）の構成例２．》
表示素子７５０（ｉ，ｊ）は、電極７５１（ｉ，ｊ）、電極７５２および液晶材料を含む層７５３を備える。また、表示素子７５０（ｉ，ｊ）は、配向膜ＡＦ１および配向膜ＡＦ２を備える。
【０２９５】電極７５１（ｉ，ｊ）は、開口部５９１Ａにおいて画素回路５３０（ｉ，ｊ）と電気的に接続される。
【０２９６】電極７５２は、液晶材料の配向を制御する電界を、電極７５１（ｉ，ｊ）との間に形成するように配設される。
【０２９７】《液晶材料を含む層７５３》
液晶材料を含む層７５３は、配向膜ＡＦ１および配向膜ＡＦ２に挟まれる領域を備える。
【０２９８】例えば、１．０×１０１３Ω・ｃｍ以上、好ましくは１．０×１０１４Ω・ｃｍ以上、さらに好ましくは１．０×１０１５Ω・ｃｍ以上の固有抵抗率を備える液晶材料を、液晶材料を含む層７５３に用いることができる。
【０２９９】これにより、液晶材料を含む層７５３を電流が流れにくくすることができる。または、液晶材料を含む層７５３に加わる電界を維持することができる。または、表示素子７５０（ｉ，ｊ）の透過率の変動を抑制することができる。または、表示素子７５０（ｉ，ｊ）のチラツキを抑制することができる。または、表示素子７５０（ｉ，ｊ）を書き換える頻度を低減することができる。
【０３００】《表示素子７５０（ｉ，ｊ）の構成例３．》
本実施の形態で説明する表示素子７５０（ｉ，ｊ）は、電極７５１（ｉ，ｊ）、電極７５２および液晶材料を含む層７５３を備える。また、配向膜ＡＦ１および配向膜ＡＦ２を有する（図１１Ａ参照）。
【０３０１】《配向膜ＡＦ１および配向膜ＡＦ２の構成例》
配向膜ＡＦ１は、電極７５１（ｉ，ｊ）および液晶材料を含む層７５３の間に挟まれる領域を備える。また、配向膜ＡＦ２は、電極７５２および液晶材料を含む層７５３の間に挟まれる領域を備える。
【０３０２】およそ水平方向に液晶を配向する配向膜を配向膜ＡＦ１および配向膜ＡＦ２に用いることができる。例えば、２°から５°程度の角度を、プレチルト角にすることができる。
【０３０３】なお、配向膜ＡＦ２は、配向膜ＡＦ１に対してアンチパラレルになるようにラビング処理される。また、配向膜ＡＦ１または配向膜ＡＦ２の厚さを、例えば、７０ｎｍにすることができる。
【０３０４】《電極７５１（ｉ，ｊ）および電極７５２の構成例》
電極７５２は、電極７５１（ｉ，ｊ）との間に、液晶材料を含む層７５３を横切る電界を形成するように配置される。
【０３０５】《液晶材料を含む層７５３の構成例１．》
液晶材料を含む層７５３は、電界が第１の状態において、入射光Ｉ０を第１の散乱強度で散乱する。
【０３０６】また、液晶材料を含む層７５３は、電界が第１の状態より大きい第２の状態において、入射光Ｉ０を第２の散乱強度で散乱する。なお、第２の散乱強度は、第１の散乱強度より大きい。
【０３０７】なお、液晶材料を含む層７５３の厚さを、例えば、２．５μ以上６．０μｍ以下にすることができる。
【０３０８】《液晶材料を含む層７５３の構成例２．》
液晶材料を含む層７５３は、液晶材料および高分子材料を含み、液晶材料を含む層７５３は、高分子で安定化される。
【０３０９】《液晶材料の構成例》
例えば、メルク社製液晶材料ＭＤＡ−００−３５０６を、液晶材料を含む層７５３に用いることができる。
【０３１０】《高分子材料の構成例》
高分子材料は、多官能モノマーおよび単官能モノマーの共重合体である。
【０３１１】《多官能モノマーの構成例》
多官能モノマーは、安息香酸フェニル骨格を備える。例えば、安息香酸フェニル骨格を有するジアクリレートを多官能モノマーに用いることができる。具体的には、下記の構造式（１）で表す材料を、多官能モノマーに用いることができる。
【０３１２】
【化１】
2020058799.tif 000003
【０３１３】《単官能モノマーの構成例》
単官能モノマーは、シクロヘキシルベンゼン骨格を備える。例えば、シクロヘキシル骨格を有するアクリレートを単官能モノマーに用いることができる。具体的には、下記の構造式（２）乃至構造式（４）で表す材料を、単官能モノマーに用いることができる。
【０３１４】
【化２】
2020058799.tif 000004
【０３１５】
【化３】
2020058799.tif 000005
【０３１６】
【化４】
2020058799.tif 000006
【０３１７】これにより、第１の電界強度より大きい第２の電界強度において、入射光をより強く散乱することができる。または、入射光を透過しやすい状態において消費する電力を少なくできる。その結果、利便性、有用性または信頼性に優れた新規な液晶素子を提供することができる。
【０３１８】なお、安息香酸フェニルは構造式（５）で表す構造を有し、シクロヘキシルベンゼンは構造式（６）で表す構造を有する。また、いずれも置換基を有していてもよい。
【０３１９】
【化５】
2020058799.tif 000007
【０３２０】
【化６】
2020058799.tif 000008
【０３２１】＜液晶素子の構成例２．＞
また、本実施の形態で説明する液晶素子は、第２の散乱強度が、第１の散乱強度の１０倍以上である。
【０３２２】これにより、入射光を透過する状態と、入射光を散乱する状態のコントラストを大きくすることができる。その結果、利便性、有用性または信頼性に優れた新規な液晶素子を提供することができる。
【０３２３】なお、本実施の形態は、本明細書で示す他の実施の形態と適宜組み合わせることができる。
【０３２４】（実施の形態５）
本実施の形態では、本発明の一態様の表示装置の構成について、図１３を参照しながら説明する。
【０３２５】図１３は本発明の一態様の表示装置の構成を説明する図である。図１３Ａは本発明の一態様の表示装置のブロック図であり、図１３Ｂ乃至図１３Ｄは本発明の一態様の表示装置の外観を説明する投影図である。
【０３２６】＜表示装置の構成例１．＞
本実施の形態で説明する表示装置は、表示パネル７００と制御部２３８を有する（図１３Ａ参照）。
【０３２７】《制御部２３８の構成例１．》
制御部２３８は、画像情報ＶＩおよび制御情報ＣＩを供給される。例えば、クロック信号またはタイミング信号などを制御情報ＣＩに用いることができる。
【０３２８】制御部２３８は画像情報ＶＩに基づいて情報Ｖ１１を生成し、制御情報ＣＩに基づいて制御信号ＳＰを生成する。また、制御部２３８は情報Ｖ１１および制御信号ＳＰを供給する。
【０３２９】例えば、情報Ｖ１１は、８ｂｉｔ以上好ましくは１２ｂｉｔ以上の階調を含む。また、例えば、駆動回路に用いるシフトレジスタのクロック信号またはスタートパルスなどを、制御信号ＳＰに用いることができる。
【０３３０】《制御部２３８の構成例２．》
例えば、伸張回路２３４および画像処理回路２３５を制御部２３８に用いることができる。
【０３３１】《伸張回路２３４》
伸張回路２３４は、圧縮された状態で供給される画像情報ＶＩを伸張する機能を備える。伸張回路２３４は、記憶部を備える。記憶部は、例えば伸張された画像情報を記憶する機能を備える。
【０３３２】《画像処理回路２３５》
画像処理回路２３５は、例えば、記憶領域を備える。記憶領域は、例えば、画像情報ＶＩに含まれる情報を記憶する機能を備える。
【０３３３】画像処理回路２３５は、例えば、所定の特性曲線に基づいて画像情報ＶＩを補正して情報Ｖ１１を生成する機能と、情報Ｖ１１を供給する機能を備える。
【０３３４】《表示パネルの構成例１．》
表示パネル７００は情報Ｖ１１および制御信号ＳＰを供給される。例えば、駆動回路を表示パネル７００に用いることができる。具体的には、実施の形態３または実施の形態４において説明する表示パネル７００を用いることができる。
【０３３５】《駆動回路》
駆動回路は制御信号ＳＰに基づいて動作する。制御信号ＳＰを用いることにより、複数の駆動回路の動作を同期することができる。
【０３３６】例えば、駆動回路ＧＤＡ（１）、駆動回路ＧＤＡ（２）、駆動回路ＧＤＢ（１）および駆動回路ＧＤＢ（２）を表示パネルに用いることができる。具体的には、実施の形態２において説明する駆動回路を用いることができる。また、駆動回路ＧＤＡ（１）、駆動回路ＧＤＡ（２）、駆動回路ＧＤＢ（１）および駆動回路ＧＤＢ（２）は、制御信号ＳＰを供給され、選択信号を供給する機能を備える。
【０３３７】例えば、駆動回路ＳＤＡ（１）、駆動回路ＳＤＡ（２）、駆動回路ＳＤＢ（１）、駆動回路ＳＤＢ（２）、駆動回路ＳＤＣ（１）および駆動回路ＳＤＣ（２）を表示パネルに用いることができる。また、駆動回路ＳＤＡ（１）、駆動回路ＳＤＡ（２）、駆動回路ＳＤＢ（１）、駆動回路ＳＤＢ（２）、駆動回路ＳＤＣ（１）および駆動回路ＳＤＣ（２）は、制御信号ＳＰおよび情報Ｖ１１を供給され、画像信号を供給することができる。
【０３３８】《画素７０２（ｉ，ｊ）の構成例》
画素７０２（ｉ，ｊ）は、情報Ｖ１１に基づいて表示する。
【０３３９】これにより、表示素子を用いて画像情報を表示することができる。その結果、利便性、有用性または信頼性に優れた新規な表示装置を提供することができる。または、例えば、テレビジョン受像システム（図１３Ｂ参照）、映像モニター（図１３Ｃ参照）またはノートブックコンピュータ（図１３Ｄ参照）などを提供することができる。
【０３４０】《表示パネルの構成例２．》
例えば、制御回路２３３を表示パネル７００に用いることができる。具体的には、リジッド基板上に形成された制御回路２３３を表示パネル７００に用いることができる。また、リジッド基板上に形成された制御回路２３３を、フレキシブルプリント基板を用いて、制御部２３８と電気的に接続することができる。
【０３４１】《制御回路２３３》
制御回路２３３は制御信号ＳＰを生成し、供給する機能を備える。例えば、クロック信号またはタイミング信号などを制御信号ＳＰに用いることができる。具体的には、タイミングコントローラを制御回路２３３に用いることができる。
【０３４２】＜表示装置の構成例２．＞
本実施の形態で説明する表示装置は、表示パネル７００と、制御部２３８と、を有する（図１４Ａおよび図１４Ｂ参照）。また、光源ＳＬ、演算装置２１０、センサＳＥＮＳ、駆動部ＭＶおよびバッテリＢＴを有する。
【０３４３】例えば、実施の形態３または実施の形態４に記載する表示パネルを、表示パネル７００に用いることができる。
【０３４４】《光源ＳＬの構成例１．》
光源ＳＬは、制御情報ＣＩを供給される。例えば、クロック信号またはタイミング信号などを制御情報ＣＩに用いることができる。
【０３４５】光源ＳＬは、発光素子および駆動回路を備える。また、発光素子は駆動回路と電気的に接続される。
【０３４６】例えば、ＬＥＤ、有機ＥＬ素子などを光源ＳＬに用いることができる。具体的には、白色の光を射出する発光素子を光源ＳＬに用いることができる。または、青色の光を射出する発光素子、緑色の光を射出する発光素子および赤色の光を射出する発光素子を光源ＳＬに用いることができる。
【０３４７】駆動回路は、青色の光を射出する発光素子、緑色の光を射出する発光素子および赤色の光を射出する発光素子を同時に点灯することができる。または、青色の光を射出する発光素子、緑色の光を射出する発光素子および赤色の光を射出する発光素子を順番に点灯することができる。
【０３４８】《光源ＳＬの構成例２．》
光源ＳＬは、制御情報ＣＩに基づいて、例えば、フィールド・シーケンシャル方式を用いて画像情報ＶＩを表示することができる（図１４Ｃ参照）。
【０３４９】［第１のステップ］
第１の副画像情報として、例えば、所定の画像情報に含まれる赤色の成分を供給する（図１４Ｃ（Ｗ１）参照）。
【０３５０】［第２のステップ］
光源ＳＬを用いて赤色の光を照射して、第１の副画像情報を表示する（図１４Ｃ（Ｗ２）参照）。
【０３５１】［第３のステップ］
第２の副画像情報として、例えば、所定の画像情報に含まれる緑色の成分を供給する（図１４Ｃ（Ｗ３）参照）。
【０３５２】［第４のステップ］
光源ＳＬを用いて緑色の光を照射して、第２の副画像情報を表示する（図１４Ｃ（Ｗ４）参照）。
【０３５３】［第５のステップ］
第３の副画像情報として、例えば、所定の画像情報に含まれる青色の成分を供給する（図１４Ｃ（Ｗ５）参照）。
【０３５４】［第６のステップ］
光源ＳＬを用いて青色の光を照射して、第３の副画像情報を表示する（図１４Ｃ（Ｗ６）参照）。
【０３５５】《センサＳＥＮＳ》
センサＳＥＮＳは、検知情報ＤＳを供給する。例えば、脈拍センサ、温度センサまたは圧力センサ等をセンサＳＥＮＳに用いることができる。
【０３５６】《演算装置２１０》
演算装置２１０は検知情報ＤＳを供給される。演算装置２１０は、検知情報ＤＳに基づいて画像情報ＶＩを生成する。
【０３５７】例えば、検知情報ＤＳに基づいて、使用者の脈拍、体温などを表示する画像情報ＶＩを生成することができる。または、検知情報ＤＳに基づいて、気温、標高または水深などを表示する画像情報ＶＩを生成することができる。
【０３５８】また、演算装置２１０は、時刻情報などを供給する。
【０３５９】《駆動部ＭＶ》
駆動部ＭＶは、例えば、短針、長針、秒針、電動機および駆動回路を備える。駆動部ＭＶは、時刻情報などを供給され、時刻などを表示する。例えば、短針、長針、秒針を所定の速度で回転することができる。また、脈拍、体温、気温、標高または水深などを表示することができる。
【０３６０】なお、使用者と駆動部ＭＶの間に、表示パネル７００を挟むように配置する。これにより、例えば、短針、長針、秒針などの指針より手前に、画像情報を表示することができる。または、画像情報ＶＩを短針、長針、秒針などの指針に重ねて表示することができる。または、短針、長針、秒針などの指針に遮られることなく、画像情報ＶＩを表示することができる。
【０３６１】《バッテリＢＴ》
バッテリＢＴは、表示パネル７００、制御部２３８、光源ＳＬ、センサＳＥＮＳ、演算装置２１０および駆動部ＭＶと電気的に接続される。また、バッテリＢＴは、電力を供給する。
【０３６２】なお、本実施の形態は、本明細書で示す他の実施の形態と適宜組み合わせることができる。
【０３６３】（実施の形態６）
本実施の形態では、本発明の一態様の入出力装置の構成について、図１５を参照しながら説明する。
【０３６４】図１５は本発明の一態様の入出力装置の構成を説明するブロック図である。
【０３６５】＜入出力装置の構成例１．＞
本実施の形態で説明する入出力装置は、入力部２４０と、表示部２３０と、を有する（図１５参照）。
【０３６６】《表示部２３０》
表示部２３０は表示パネルを備える。例えば、実施の形態３または実施の形態４に記載の表示パネル７００を表示部２３０に用いることができる。なお、入力部２４０および表示部２３０を有する構成を入出力パネル７００ＴＰということができる。
【０３６７】《入力部２４０の構成例１．》
入力部２４０は検知領域２４１を備える。入力部２４０は検知領域２４１に近接するものを検知する機能を備える。
【０３６８】検知領域２４１は、画素７０２（ｉ，ｊ）と重なる領域を備える。
【０３６９】これにより、表示部を用いて画像情報を表示しながら、表示部と重なる領域に近接するものを検知することができる。または、表示部に近接させる指などをポインタに用いて、位置情報を入力することができる。または、位置情報を表示部に表示する画像情報に関連付けることができる。その結果、利便性、有用性または信頼性に優れた新規な入出力装置を提供することができる。
【０３７０】《検知領域２４１の構成例１．》
検知領域２４１は、例えば、単数または複数の検知器を備える。
【０３７１】検知領域２４１は、一群の検知器８０２（ｇ，１）乃至検知器８０２（ｇ，ｑ）と、他の一群の検知器８０２（１，ｈ）乃至検知器８０２（ｐ，ｈ）と、を有する。なお、ｇは１以上ｐ以下の整数であり、ｈは１以上ｑ以下の整数であり、ｐおよびｑは１以上の整数である。
【０３７２】一群の検知器８０２（ｇ，１）乃至検知器８０２（ｇ，ｑ）は、検知器８０２（ｇ，ｈ）を含み、行方向（図中に矢印Ｒ２で示す方向）に配設され、配線ＣＬ（ｇ）と電気的に接続されている。なお、矢印Ｒ２で示す方向は、矢印Ｒ１で示す方向と同じであっても良いし、異なっていてもよい。
【０３７３】また、他の一群の検知器８０２（１，ｈ）乃至検知器８０２（ｐ，ｈ）は、検知器８０２（ｇ，ｈ）を含み、行方向と交差する列方向（図中に矢印Ｃ２で示す方向）に配設され、配線ＭＬ（ｈ）と電気的に接続されている。
【０３７４】《検知器》
検知器は近接するポインタを検知する機能を備える。例えば、指やスタイラスペン等をポインタに用いることができる。例えば、金属片またはコイル等を、スタイラスペンに用いることができる。
【０３７５】具体的には、静電容量方式の近接センサ、電磁誘導方式の近接センサ、光学方式の近接センサ、抵抗膜方式の近接センサなどを、検知器に用いることができる。
【０３７６】また、複数の方式の検知器を併用することもできる。例えば、指を検知する検知器と、スタイラスペンを検知する検知器とを、併用することができる。
【０３７７】これにより、ポインタの種類を判別することができる。または、判別したポインタの種類に基づいて、異なる命令を検知情報に関連付けることができる。具体的には、ポインタに指を用いたと判別した場合は、検知情報をジェスチャーと関連付けることができる。または、ポインタにスタイラスペンを用いたと判別した場合は、検知情報を描画処理と関連付けることができる。
【０３７８】具体的には、静電容量方式、感圧方式または光学方式の近接センサを用いて、指を検知することができる。または、電磁誘導方式または光学方式の近接センサを用いて、スタイラスペンを検知することができる。
【０３７９】《入力部２４０の構成例２．》
入力部２４０は発振回路ＯＳＣおよび検知回路ＤＣを備える（図１５参照）。
【０３８０】発振回路ＯＳＣは探索信号を検知器８０２（ｇ，ｈ）に供給する。例えば、矩形波、のこぎり波、三角波、サイン波等を、探索信号に用いることができる。
【０３８１】検知器８０２（ｇ，ｈ）は、検知器８０２（ｇ，ｈ）に近接するポインタまでの距離および探索信号に基づいて変化する検知信号を生成し供給する。
【０３８２】検知回路ＤＣは検知信号に基づいて入力情報を供給する。
【０３８３】これにより、近接するポインタから検知領域２４１までの距離を検知することができる。または、検知領域２４１内においてポインタが最も近接する位置を検知することができる。
【０３８４】なお、本実施の形態は、本明細書で示す他の実施の形態と適宜組み合わせることができる。
【０３８５】（実施の形態７）
本実施の形態では、本発明の一態様の情報処理装置の構成について、図１６乃至図１８を参照しながら説明する。
【０３８６】図１６Ａは本発明の一態様の情報処理装置の構成を説明するブロック図である。図１６Ｂおよび図１６Ｃは、情報処理装置の外観の一例を説明する投影図である。
【０３８７】図１７は、本発明の一態様のプログラムを説明するフローチャートである。図１７Ａは、本発明の一態様のプログラムの主の処理を説明するフローチャートであり、図１７Ｂは、割り込み処理を説明するフローチャートである。
【０３８８】図１８は、本発明の一態様のプログラムを説明する図である。図１８Ａは、本発明の一態様のプログラムの割り込み処理を説明するフローチャートである。また、図１８Ｂは、情報処理装置の操作を説明する模式図であり、図１８Ｃは、本発明の一態様の情報処理装置の動作を説明するタイミングチャートであり、１フレーム（１Ｆｒａｍｅ）と時間（Ｔｉｍｅ）を示す。
【０３８９】＜情報処理装置の構成例１．＞
本実施の形態で説明する情報処理装置は、演算装置２１０と、入出力装置２２０と、を有する（図１６Ａ参照）。なお、入出力装置２２０は、演算装置２１０と電気的に接続される。また、情報処理装置２００は筐体を備えることができる（図１６Ｂおよび図１６Ｃ参照）。
【０３９０】《演算装置２１０の構成例１．》
演算装置２１０は入力情報ＩＩまたは検知情報ＤＳを供給される。演算装置２１０は入力情報ＩＩまたは検知情報ＤＳに基づいて、制御情報ＣＩおよび画像情報ＶＩを生成し、制御情報ＣＩおよび画像情報ＶＩを供給する。
【０３９１】演算装置２１０は、演算部２１１および記憶部２１２を備える。また、演算装置２１０は、伝送路２１４および入出力インターフェース２１５を備える。
【０３９２】伝送路２１４は、演算部２１１、記憶部２１２、および入出力インターフェース２１５と電気的に接続される。
【０３９３】《演算部２１１》
演算部２１１は、例えばプログラムを実行する機能を備える。
【０３９４】《記憶部２１２》
記憶部２１２は、例えば演算部２１１が実行するプログラム、初期情報、設定情報または画像等を記憶する機能を有する。
【０３９５】具体的には、ハードディスク、フラッシュメモリまたは酸化物半導体を含むトランジスタを用いたメモリ等を用いることができる。
【０３９６】《入出力インターフェース２１５、伝送路２１４》
入出力インターフェース２１５は端子または配線を備え、情報を供給し、情報を供給される機能を備える。例えば、伝送路２１４と電気的に接続することができる。また、入出力装置２２０と電気的に接続することができる。
【０３９７】伝送路２１４は配線を備え、情報を供給し、情報を供給される機能を備える。例えば、入出力インターフェース２１５と電気的に接続することができる。また、演算部２１１、記憶部２１２または入出力インターフェース２１５と電気的に接続することができる。
【０３９８】《入出力装置２２０の構成例》
入出力装置２２０は、入力情報ＩＩおよび検知情報ＤＳを供給する。入出力装置２２０は、制御情報ＣＩおよび画像情報ＶＩを供給される（図１６Ａ参照）。
【０３９９】例えば、キーボードのスキャンコード、位置情報、ボタンの操作情報、音声情報または画像情報等を入力情報ＩＩに用いることができる。または、例えば、情報処理装置２００が使用される環境等の照度情報、姿勢情報、加速度情報、方位情報、圧力情報、温度情報または湿度情報等を検知情報ＤＳに用いることができる。
【０４００】例えば、画像情報ＶＩを表示する輝度を制御する信号、彩度を制御する信号、色相を制御する信号を、制御情報ＣＩに用いることができる。または、画像情報ＶＩの一部の表示を変化する信号を、制御情報ＣＩに用いることができる。
【０４０１】入出力装置２２０は、表示部２３０、入力部２４０および検知部２５０を備える。例えば、実施の形態６において説明する入出力装置を入出力装置２２０に用いることができる。また、入出力装置２２０は通信部２９０を備えることができる。
【０４０２】《表示部２３０の構成例》
表示部２３０は制御情報ＣＩに基づいて、画像情報ＶＩを表示する。
【０４０３】表示部２３０は、制御部２３８と、駆動回路ＧＤと、駆動回路ＳＤと、表示パネル７００と、を有する（図１３参照）。例えば、実施の形態５において説明する表示装置を表示部２３０に用いることができる。
【０４０４】《入力部２４０の構成例》
入力部２４０は入力情報ＩＩを生成する。例えば、入力部２４０は、位置情報Ｐ１を供給する機能を備える。
【０４０５】例えば、ヒューマンインターフェイス等を入力部２４０に用いることができる（図１６Ａ参照）。具体的には、キーボード、マウス、タッチセンサ、マイクまたはカメラ等を入力部２４０に用いることができる。
【０４０６】また、表示部２３０に重なる領域を備えるタッチセンサを用いることができる。なお、表示部２３０と表示部２３０に重なる領域を備えるタッチセンサを備える入出力装置を、タッチパネルまたはタッチスクリーンということができる。
【０４０７】例えば、使用者は、タッチパネルに触れた指をポインタに用いて様々なジェスチャー（タップ、ドラッグ、スワイプまたはピンチイン等）をすることができる。
【０４０８】例えば、演算装置２１０は、タッチパネルに接触する指の位置または軌跡等の情報を解析し、解析結果が所定の条件を満たすとき、所定のジェスチャーが供給されたとすることができる。これにより、使用者は、所定のジェスチャーにあらかじめ関連付けられた所定の操作命令を、当該ジェスチャーを用いて供給できる。
【０４０９】一例を挙げれば、使用者は、画像情報の表示位置を変更する「スクロール命令」を、タッチパネルに沿ってタッチパネルに接触する指を移動するジェスチャーを用いて供給できる。
【０４１０】また、使用者は、表示領域２３１の端部にナビゲーションパネルＮＰを引き出して表示する「ドラッグ命令」を、表示領域２３１の端部に接する指を移動するジェスチャーを用いて供給できる（図１６Ｃ参照）。また、使用者は、ナビゲーションパネルＮＰにインデックス画像ＩＮＤ、他のページの一部または他のページのサムネイル画像ＴＮを、所定の順番でパラパラ表示する「リーフスルー命令」を、指を強く押し付ける位置を移動するジェスチャーを用いて供給できる。または、指を押し付ける圧力を用いて供給できる。これにより、紙の書籍のページをパラパラめくるように、電子書籍のページをめくることができる。または、サムネイル画像ＴＮまたはインデックス画像ＩＮＤを頼りに、所定のページを探すことができる。
【０４１１】《検知部２５０の構成例》
検知部２５０は検知情報ＤＳを生成する。例えば、検知部２５０は、情報処理装置２００が使用される環境の照度を検出する機能を備え、照度情報を供給する機能を備える。
【０４１２】検知部２５０は、周囲の状態を検知して検知情報を供給する機能を備える。具体的には、照度情報、姿勢情報、加速度情報、方位情報、圧力情報、温度情報または湿度情報等を供給できる。
【０４１３】例えば、光検出器、姿勢検出器、加速度センサ、方位センサ、ＧＰＳ（Ｇｌｏｂａｌ  ｐｏｓｉｔｉｏｎｉｎｇ  Ｓｙｓｔｅｍ）信号受信回路、感圧スイッチ、圧力センサ、温度センサ、湿度センサまたはカメラ等を、検知部２５０に用いることができる。
【０４１４】《通信部２９０》
通信部２９０は、ネットワークに情報を供給し、ネットワークから情報を取得する機能を備える。
【０４１５】《筐体》
なお、筐体は入出力装置２２０または演算装置２１０を収納する機能を備える。または、筐体は表示部２３０または演算装置２１０を支持する機能を備える。
【０４１６】これにより、入力情報または検知情報に基づいて、制御情報を生成することができる。または、入力情報または検知情報に基づいて、画像情報を表示することができる。または、情報処理装置は、情報処理装置が使用される環境において、情報処理装置の筐体が受ける光の強さを把握して動作することができる。または、情報処理装置の使用者は、表示方法を選択することができる。その結果、利便性、有用性または信頼性に優れた新規な情報処理装置を提供することができる。
【０４１７】なお、これらの構成は明確に分離できず、一つの構成が他の構成を兼ねる場合や他の構成の一部を含む場合がある。例えばタッチセンサが表示パネルに重ねられたタッチパネルは、表示部であるとともに入力部でもある。
【０４１８】《演算装置２１０の構成例２．》
演算装置２１０は人工知能部２１３を備える（図１６Ａ参照）。
【０４１９】人工知能部２１３は入力情報ＩＩまたは検知情報ＤＳを供給され、人工知能部２１３は入力情報ＩＩまたは検知情報ＤＳに基づいて、制御情報ＣＩを推論する。また、人工知能部２１３は制御情報ＣＩを供給する。
【０４２０】これにより、好適であると感じられるように表示する制御情報ＣＩを生成することができる。または、好適であると感じられるように表示することができる。または、快適であると感じられるように表示する制御情報ＣＩを生成することができる。または、快適であると感じられるように表示することができる。その結果、利便性、有用性または信頼性に優れた新規な情報処理装置を提供することができる。
【０４２１】［入力情報ＩＩに対する自然言語処理］
具体的には、人工知能部２１３は入力情報ＩＩを自然言語処理して、入力情報ＩＩ全体から１つの特徴を抽出することができる。例えば、人工知能部２１３は、入力情報ＩＩに込められた感情等を推論し特徴にすることができる。また、当該特徴に好適であると経験的に感じられる色彩、模様または書体等を推論することができる。また、人工知能部２１３は、文字の色、模様または書体を指定する情報、背景の色または模様を指定する情報を生成し、制御情報ＣＩに用いることができる。
【０４２２】具体的には、人工知能部２１３は入力情報ＩＩを自然言語処理して、入力情報ＩＩに含まれる一部の言葉を抽出することができる。例えば、人工知能部２１３は文法的な誤り、事実誤認または感情を含む表現等を抽出することができる。また、人工知能部２１３は、抽出した一部を他の一部とは異なる色彩、模様または書体等で表示する制御情報ＣＩを生成し、制御情報ＣＩに用いることができる。
【０４２３】［入力情報ＩＩに対する画像処理］
具体的には、人工知能部２１３は入力情報ＩＩを画像処理して、入力情報ＩＩから１つの特徴を抽出することができる。例えば、人工知能部２１３は、入力情報ＩＩが撮影された年代、屋内または屋外、昼または夜等を推論し特徴にすることができる。また、当該特徴に好適であると経験的に感じられる色調を推論し、当該色調を表示に用いるための制御情報ＣＩを生成することができる。具体的には、濃淡の表現に用いる色（例えば、フルカラー、白黒または茶褐色等）を指定する情報を制御情報ＣＩに用いることができる。
【０４２４】具体的には、人工知能部２１３は入力情報ＩＩを画像処理して、入力情報ＩＩに含まれる一部の画像を抽出することができる。例えば、抽出した画像の一部と他の一部の間に境界を表示する制御情報ＣＩを生成することができる。具体的には、抽出した画像の一部を囲む矩形を表示する制御情報ＣＩを生成することができる。
【０４２５】［検知情報ＤＳを用いる推論］
具体的には、人工知能部２１３は検知情報ＤＳを用いて、推論ＲＩを生成することができる。または、推論ＲＩに基づいて、情報処理装置２００の使用者が快適であると感じられるように制御情報ＣＩを生成することができる。
【０４２６】具体的には、環境の照度等に基づいて、人工知能部２１３は、表示の明るさが快適であると感じられるように、表示の明るさを調整する制御情報ＣＩを生成することができる。または、人工知能部２１３は環境の騒音等に基づいて大きさが快適であると感じられるように、音量を調整する制御情報ＣＩを生成することができる。
【０４２７】なお、表示部２３０が備える制御部２３８に供給するクロック信号またはタイミング信号などを制御情報ＣＩに用いることができる。または、入力部２４０が備える制御部２４８に供給するクロック信号またはタイミング信号などを制御情報ＣＩに用いることができる。
【０４２８】＜情報処理装置の構成例２．＞
本発明の一態様の情報処理装置の別の構成について、図１７Ａおよび図１７Ｂを参照しながら説明する。
【０４２９】《プログラム》
本発明の一態様のプログラムは、下記のステップを有する（図１７Ａ参照）。
【０４３０】［第１のステップ］
第１のステップにおいて、設定を初期化する（図１７Ａ（Ｓ１）参照）。
【０４３１】例えば、起動時に表示する所定の画像情報と、当該画像情報を表示する所定のモードと、当該画像情報を表示する所定の表示方法を特定する情報と、を記憶部２１２から取得する。具体的には、一の静止画像情報または他の動画像情報を所定の画像情報に用いることができる。また、第１のモードまたは第２のモードを所定のモードに用いることができる。
【０４３２】［第２のステップ］
第２のステップにおいて、割り込み処理を許可する（図１７Ａ（Ｓ２）参照）。なお、割り込み処理が許可された演算装置は、主の処理と並行して割り込み処理を行うことができる。割り込み処理から主の処理に復帰した演算装置は、割り込み処理をして得た結果を主の処理に反映することができる。
【０４３３】なお、カウンタの値が初期値であるとき、演算装置に割り込み処理をさせ、割り込み処理から復帰する際に、カウンタを初期値以外の値としてもよい。これにより、プログラムを起動した後に常に割り込み処理をさせることができる。
【０４３４】［第３のステップ］
第３のステップにおいて、第１のステップまたは割り込み処理において選択された、所定のモードまたは所定の表示方法を用いて画像情報を表示する（図１７Ａ（Ｓ３）参照）。なお、所定のモードは情報を表示するモードを特定し、所定の表示方法は画像情報を表示する方法を特定する。また、例えば、画像情報ＶＩを表示する情報に用いることができる。
【０４３５】例えば、画像情報ＶＩを表示する一の方法を、第１のモードに関連付けることができる。または、画像情報ＶＩを表示する他の方法を第２のモードに関連付けることができる。これにより、選択されたモードに基づいて表示方法を選択することができる。
【０４３６】《第１のモード》
具体的には、３０Ｈｚ以上、好ましくは６０Ｈｚ以上の頻度で一の走査線に選択信号を供給し、選択信号に基づいて表示をする方法を、第１のモードに関連付けることができる。
【０４３７】例えば、３０Ｈｚ以上、好ましくは６０Ｈｚ以上の頻度で選択信号を供給すると、動画像の動きを滑らかに表示することができる。
【０４３８】例えば、３０Ｈｚ以上、好ましくは６０Ｈｚ以上の頻度で画像を更新すると、使用者の操作に滑らかに追従するように変化する画像を、使用者が操作中の情報処理装置２００に表示することができる。
【０４３９】《第２のモード》
具体的には、３０Ｈｚ未満、好ましくは１Ｈｚ未満、より好ましくは１分に１回未満の頻度で一の走査線に選択信号を供給し、選択信号に基づいて表示をする方法を、第２のモードに関連付けることができる。
【０４４０】３０Ｈｚ未満、好ましくは１Ｈｚ未満、より好ましくは１分に１回未満の頻度で選択信号を供給すると、フリッカーまたはちらつきが抑制された表示をすることができる。また、消費電力を低減することができる。
【０４４１】例えば、情報処理装置２００を時計に用いる場合、１秒に１回の頻度または１分に１回の頻度等で表示を更新することができる。
【０４４２】ところで、例えば、発光素子を表示素子に用いる場合、発光素子をパルス状に発光させて、画像情報を表示することができる。具体的には、パルス状に有機ＥＬ素子を発光させて、その残光を表示に用いることができる。有機ＥＬ素子は優れた周波数特性を備えるため、発光素子を駆動する時間を短縮し、消費電力を低減することができる場合がある。または、発熱が抑制されるため、発光素子の劣化を軽減することができる場合がある。
【０４４３】［第４のステップ］
第４のステップにおいて、終了命令が供給された場合（Ｙｅｓ）は第５のステップに進み、終了命令が供給されなかった場合（Ｎｏ）は第３のステップに進むように選択する（図１７Ａ（Ｓ４）参照）。
【０４４４】例えば、割り込み処理において供給された終了命令を判断に用いてもよい。
【０４４５】［第５のステップ］
第５のステップにおいて、終了する（図１７Ａ（Ｓ５）参照）。
【０４４６】《割り込み処理》
割り込み処理は以下の第６のステップ乃至第８のステップを備える（図１７Ｂ参照）。
【０４４７】［第６のステップ］
第６のステップにおいて、例えば、検知部２５０を用いて、情報処理装置２００が使用される環境の照度を検出する（図１７Ｂ（Ｓ６）参照）。なお、環境の照度に代えて環境光の色温度や色度を検出してもよい。
【０４４８】［第７のステップ］
第７のステップにおいて、検出した照度情報に基づいて表示方法を決定する（図１７Ｂ（Ｓ７）参照）。例えば、表示の明るさを暗すぎないように、または明るすぎないように決定する。
【０４４９】なお、第６のステップにおいて環境光の色温度や環境光の色度を検出した場合は、表示の色味を調節してもよい。
【０４５０】［第８のステップ］
第８のステップにおいて、割り込み処理を終了する（図１７Ｂ（Ｓ８）参照）。
【０４５１】＜情報処理装置の構成例３．＞
本発明の一態様の情報処理装置の別の構成について、図１８を参照しながら説明する。
【０４５２】図１８Ａは、本発明の一態様のプログラムを説明するフローチャートである。図１８Ａは、図１７Ｂに示す割り込み処理とは異なる割り込み処理を説明するフローチャートである。
【０４５３】なお、情報処理装置の構成例３は、供給された所定のイベントに基づいて、モードを変更するステップを割り込み処理に有する点が、図１７Ｂを参照しながら説明する割り込み処理とは異なる。ここでは、異なる部分について詳細に説明し、同様の構成を用いることができる部分について上記の説明を援用する。
【０４５４】《割り込み処理》
割り込み処理は以下の第６のステップ乃至第８のステップを備える（図１８Ａ参照）。
【０４５５】［第６のステップ］
第６のステップにおいて、所定のイベントが供給された場合（Ｙｅｓ）は、第７のステップに進み、所定のイベントが供給されなかった場合（Ｎｏ）は、第８のステップに進む（図１８Ａ（Ｕ６）参照）。例えば、所定の期間に所定のイベントが供給されたか否かを条件に用いることができる。具体的には、５秒以下、１秒以下または０．５秒以下好ましくは０．１秒以下であって０秒より長い期間を所定の期間とすることができる。
【０４５６】［第７のステップ］
第７のステップにおいて、モードを変更する（図１８Ａ（Ｕ７）参照）。具体的には、第１のモードを選択していた場合は、第２のモードを選択し、第２のモードを選択していた場合は、第１のモードを選択する。
【０４５７】例えば、表示部２３０の一部の領域について、表示モードを変更することができる。具体的には、駆動回路ＧＤＡ、駆動回路ＧＤＢおよび駆動回路ＧＤＣを備える表示部２３０の一の駆動回路が選択信号を供給する領域について、表示モードを変更することができる（図１８Ｂ参照）。
【０４５８】例えば、駆動回路ＧＤＢが選択信号を供給する領域と重なる領域にある入力部２４０に、所定のイベントが供給された場合に、駆動回路ＧＤＢが選択信号を供給する領域の表示モードを変更することができる（図１８Ｂおよび図１８Ｃ参照）。具体的には、指等を用いてタッチパネルに供給する「タップ」イベントに応じて、駆動回路ＧＤＢが供給する選択信号の頻度を変更することができる。
【０４５９】なお、信号ＧＣＬＫは駆動回路ＧＤＢの動作を制御するクロック信号であり、信号ＰＷＣ１および信号ＰＷＣ２は駆動回路ＧＤＢの動作を制御するパルス幅変調信号である。駆動回路ＧＤＢは、信号ＧＣＬＫ、信号ＰＷＣ１および信号ＰＷＣ２等に基づいて、選択信号を走査線Ｇ２（ｍ＋１）乃至走査線Ｇ２（２ｍ）に供給する。
【０４６０】これにより、例えば、駆動回路ＧＤＡおよび駆動回路ＧＤＣが選択信号を供給することなく、駆動回路ＧＤＢが選択信号を供給することができる。または、駆動回路ＧＤＡおよび駆動回路ＧＤＣが選択信号を供給する領域の表示を変えることなく、駆動回路ＧＤＢが選択信号を供給する領域の表示を更新することができる。または、駆動回路が消費する電力を抑制することができる。
【０４６１】［第８のステップ］
第８のステップにおいて、割り込み処理を終了する（図１８Ａ（Ｕ８）参照）。なお、主の処理を実行している期間に割り込み処理を繰り返し実行してもよい。
【０４６２】《所定のイベント》
例えば、マウス等のポインティング装置を用いて供給する、「クリック」や「ドラッグ」等のイベント、指等をポインタに用いてタッチパネルに供給する、「タップ」、「ドラッグ」または「スワイプ」等のイベントを用いることができる。
【０４６３】また、例えば、ポインタが指し示すスライドバーの位置、スワイプの速度、ドラッグの速度等を用いて、所定のイベントに関連付けられた命令の引数を与えることができる。
【０４６４】例えば、検知部２５０が検知した情報をあらかじめ設定された閾値と比較して、比較結果をイベントに用いることができる。
【０４６５】具体的には、筐体に押し込むことができるように配設されたボタン等に接する感圧検知器等を検知部２５０に用いることができる。
【０４６６】《所定のイベントに関連付ける命令》
例えば、終了命令を、所定のイベントに関連付けることができる。
【０４６７】例えば、表示されている一の画像情報から他の画像情報に表示を切り替える「ページめくり命令」を、所定のイベントに関連付けることができる。なお、「ページめくり命令」を実行する際に用いるページをめくる速度などを決定する引数を、所定のイベントを用いて与えることができる。
【０４６８】例えば、一の画像情報の表示されている一部分の表示位置を移動して、一部分に連続する他の部分を表示する「スクロール命令」などを、所定のイベントに関連付けることができる。なお、「スクロール命令」を実行する際に用いる表示を移動する速度などを決定する引数を、所定のイベントを用いて与えることができる。
【０４６９】例えば、表示方法を設定する命令または画像情報を生成する命令などを、所定のイベントに関連付けることができる。なお、生成する画像の明るさを決定する引数を所定のイベントに関連付けることができる。また、生成する画像の明るさを決定する引数を、検知部２５０が検知する環境の明るさに基づいて決定してもよい。
【０４７０】例えば、プッシュ型のサービスを用いて配信される情報を、通信部２９０を用いて取得する命令などを、所定のイベントに関連付けることができる。
【０４７１】なお、情報を取得する資格の有無を、検知部２５０が検知する位置情報を用いて判断してもよい。具体的には、所定の教室、学校、会議室、企業、建物等の内部または領域にいる場合に、情報を取得する資格を有すると判断してもよい。これにより、例えば、学校または大学等の教室で配信される教材を受信して、情報処理装置２００を教科書等に用いることができる（図１６Ｃ参照）。または、企業等の会議室で配信される資料を受信して、会議資料に用いることができる。
【０４７２】なお、本実施の形態は、本明細書で示す他の実施の形態と適宜組み合わせることができる。
【０４７３】（実施の形態８）
本実施の形態では、本発明の一態様の情報処理装置の構成について、図１９乃至図２１を参照しながら説明する。
【０４７４】図１９乃至図２１は、本発明の一態様の情報処理装置の構成を説明する図である。図１９Ａは情報処理装置のブロック図であり、図１９Ｂ乃至図１９Ｅは情報処理装置の構成を説明する斜視図である。また、図２０Ａ乃至図２０Ｅは情報処理装置の構成を説明する斜視図である。また、図２１Ａおよび図２１Ｂは情報処理装置の構成を説明する斜視図である。
【０４７５】＜情報処理装置＞
本実施の形態で説明する情報処理装置５２００Ｂは、演算装置５２１０と、入出力装置５２２０と、を有する（図１９Ａ参照）。
【０４７６】演算装置５２１０は、操作情報を供給される機能を備え、操作情報に基づいて画像情報を供給する機能を備える。
【０４７７】入出力装置５２２０は、表示部５２３０、入力部５２４０、検知部５２５０、通信部５２９０、操作情報を供給する機能および画像情報を供給される機能を備える。また、入出力装置５２２０は、検知情報を供給する機能、通信情報を供給する機能および通信情報を供給される機能を備える。
【０４７８】入力部５２４０は操作情報を供給する機能を備える。例えば、入力部５２４０は、情報処理装置５２００Ｂの使用者の操作に基づいて操作情報を供給する。
【０４７９】具体的には、キーボード、ハードウェアボタン、ポインティングデバイス、タッチセンサ、照度センサ、撮像装置、音声入力装置、視線入力装置、姿勢検出装置などを、入力部５２４０に用いることができる。
【０４８０】表示部５２３０は表示パネルおよび画像情報を表示する機能を備える。例えば、実施の形態３または実施の形態４において説明する表示パネルを表示部５２３０に用いることができる。
【０４８１】検知部５２５０は検知情報を供給する機能を備える。例えば、情報処理装置が使用されている周辺の環境を検知して、検知情報として供給する機能を備える。
【０４８２】具体的には、照度センサ、撮像装置、姿勢検出装置、圧力センサ、人感センサなどを検知部５２５０に用いることができる。
【０４８３】通信部５２９０は通信情報を供給される機能および供給する機能を備える。例えば、無線通信または有線通信により、他の電子機器または通信網と接続する機能を備える。具体的には、無線構内通信、電話通信、近距離無線通信などの機能を備える。
【０４８４】《情報処理装置の構成例１．》
例えば、円筒状の柱などに沿った外形を表示部５２３０に適用することができる（図１９Ｂ参照）。また、使用環境の照度に応じて、表示方法を変更する機能を備える。また、人の存在を検知して、表示内容を変更する機能を備える。これにより、例えば、建物の柱に設置することができる。または、広告または案内等を表示することができる。または、デジタル・サイネージ等に用いることができる。
【０４８５】《情報処理装置の構成例２．》
例えば、使用者が使用するポインタの軌跡に基づいて画像情報を生成する機能を備える（図１９Ｃ参照）。具体的には、対角線の長さが２０インチ以上、好ましくは４０インチ以上、より好ましくは５５インチ以上の表示パネルを用いることができる。または、複数の表示パネルを並べて１つの表示領域に用いることができる。または、複数の表示パネルを並べてマルチスクリーンに用いることができる。これにより、例えば、電子黒板、電子掲示板、電子看板等に用いることができる。
【０４８６】《情報処理装置の構成例３．》
他の装置から情報を受信して、表示部５２３０に表示することができる（図１９Ｄ参照）。または、いくつかの選択肢を表示できる。または、使用者は選択肢からいくつかを選択し、当該情報の送信元に返信できる。または、例えば、使用環境の照度に応じて、表示方法を変更する機能を備える。これにより、例えば、スマートウオッチの消費電力を低減することができる。または、例えば、晴天の屋外等の外光の強い環境においても好適に使用できるように、画像をスマートウオッチに表示することができる。
【０４８７】《情報処理装置の構成例４．》
表示部５２３０は、例えば、筐体の側面に沿って緩やかに曲がる曲面を備える（図１９Ｅ参照）。または、表示部５２３０は表示パネルを備え、表示パネルは、例えば、前面、側面、上面および背面に表示する機能を備える。これにより、例えば、携帯電話の前面だけでなく、側面、上面および背面に情報を表示することができる。
【０４８８】《情報処理装置の構成例５．》
例えば、インターネットから情報を受信して、表示部５２３０に表示することができる（図２０Ａ参照）。または、作成したメッセージを表示部５２３０で確認することができる。または、作成したメッセージを他の装置に送信できる。または、例えば、使用環境の照度に応じて、表示方法を変更する機能を備える。これにより、スマートフォンの消費電力を低減することができる。または、例えば、晴天の屋外等の外光の強い環境においても好適に使用できるように、画像をスマートフォンに表示することができる。
【０４８９】《情報処理装置の構成例６．》
リモートコントローラーを入力部５２４０に用いることができる（図２０Ｂ参照）。または、例えば、放送局またはインターネットから情報を受信して、表示部５２３０に表示することができる。または、検知部５２５０を用いて使用者を撮影できる。または、使用者の映像を送信できる。または、使用者の視聴履歴を取得して、クラウド・サービスに提供できる。または、クラウド・サービスから、レコメンド情報を取得して、表示部５２３０に表示できる。または、レコメンド情報に基づいて、番組または動画を表示できる。または、例えば、使用環境の照度に応じて、表示方法を変更する機能を備える。これにより、晴天の日に屋内に差し込む強い外光が当たっても好適に使用できるように、映像をテレビジョンシステムに表示することができる。
【０４９０】《情報処理装置の構成例７．》
例えば、インターネットから教材を受信して、表示部５２３０に表示することができる（図２０Ｃ参照）。または、入力部５２４０を用いて、レポートを入力し、インターネットに送信することができる。または、クラウド・サービスから、レポートの添削結果または評価を取得して、表示部５２３０に表示できる。または、評価に基づいて、好適な教材を選択し、表示できる。
【０４９１】例えば、他の情報処理装置から画像信号を受信して、表示部５２３０に表示することができる。または、スタンドなどに立てかけて、表示部５２３０をサブディスプレイに用いることができる。これにより、例えば、晴天の屋外等の外光の強い環境においても好適に使用できるように、画像をタブレットコンピュータに表示することができる。
【０４９２】《情報処理装置の構成例８．》
情報処理装置は、例えば、複数の表示部５２３０を備える（図２０Ｄ参照）。例えば、検知部５２５０で撮影しながら表示部５２３０に表示することができる。または、撮影した映像を検知部に表示することができる。または、入力部５２４０を用いて、撮影した映像に装飾を施せる。または、撮影した映像にメッセージを添付できる。または、インターネットに送信できる。または、使用環境の照度に応じて、撮影条件を変更する機能を備える。これにより、例えば、晴天の屋外等の外光の強い環境においても好適に閲覧できるように、被写体をデジタルカメラに表示することができる。
【０４９３】《情報処理装置の構成例９．》
例えば、他の情報処理装置をスレイブに用い、本実施の形態の情報処理装置をマスターに用いて、他の情報処理装置を制御することができる（図２０Ｅ参照）。または、例えば、画像情報の一部を表示部５２３０に表示し、画像情報の他の一部を他の情報処理装置の表示部に表示することができる。画像信号を供給することができる。または、通信部５２９０を用いて、他の情報処理装置の入力部から書き込む情報を取得できる。これにより、例えば、携帯可能なパーソナルコンピュータを用いて、広い表示領域を利用することができる。
【０４９４】《情報処理装置の構成例１０．》
情報処理装置は、例えば、加速度または方位を検知する検知部５２５０を備える（図２１Ａ参照）。または、検知部５２５０は、使用者の位置または使用者が向いている方向に係る情報を供給することができる。または、情報処理装置は、使用者の位置または使用者が向いている方向に基づいて、右目用の画像情報および左目用の画像情報を生成することができる。または、表示部５２３０は、右目用の表示領域および左目用の表示領域を備える。これにより、例えば、没入感を得られる仮想現実空間の映像を、ゴーグル型の情報処理装置に表示することができる。
【０４９５】《情報処理装置の構成例１１．》
情報処理装置は、例えば、撮像装置、加速度または方位を検知する検知部５２５０を備える（図２１Ｂ参照）。または、検知部５２５０は、使用者の位置または使用者が向いている方向に係る情報を供給することができる。または、情報処理装置は、使用者の位置または使用者が向いている方向に基づいて、画像情報を生成することができる。これにより、例えば、現実の風景に情報を添付して表示することができる。または、拡張現実空間の映像を、めがね型の情報処理装置に表示することができる。
【０４９６】なお、本実施の形態は、本明細書で示す他の実施の形態と適宜組み合わせることができる。
【実施例】
【０４９７】本実施例では、作製した本発明の一態様の表示装置の構成と評価結果について、図２２を参照しながら説明する。【０４９８】図２２は本発明の一態様の表示装置の表示性能を説明する図である。【０４９９】＜作製した表示装置の構成＞
表示装置は、表示パネルおよび光源を有する。【０５００】《表示装置の構成》
作製した表示装置の仕様を表１に示す。【０５０１】
【表１】
2020058799.tif 000009
【０５０２】＜表示結果＞
作製した表示装置に画像を表示した（図２２参照）。【０５０３】なお、本実施例は、本明細書で示す他の実施の形態と適宜組み合わせることができる。【０５０４】例えば、本明細書等において、ＸとＹとが接続されている、と明示的に記載されている場合は、ＸとＹとが電気的に接続されている場合と、ＸとＹとが機能的に接続されている場合と、ＸとＹとが直接接続されている場合とが、本明細書等に開示されているものとする。したがって、所定の接続関係、例えば、図または文章に示された接続関係に限定されず、図または文章に示された接続関係以外のものも、図または文章に開示されているものとする。【０５０５】ここで、Ｘ、Ｙは、対象物（例えば、装置、素子、回路、配線、電極、端子、導電膜、層、など）であるとする。【０５０６】ＸとＹとが直接的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に接続されていない場合であり、ＸとＹとの電気的な接続を可能とする素子（例えば、スイッチ、トランジスタ、容量素子、インダクタ、抵抗素子、ダイオード、表示素子、発光素子、負荷など）を介さずに、ＸとＹとが、接続されている場合である。【０５０７】ＸとＹとが電気的に接続されている場合の一例としては、ＸとＹとの電気的な接続を可能とする素子（例えば、スイッチ、トランジスタ、容量素子、インダクタ、抵抗素子、ダイオード、表示素子、発光素子、負荷など）が、ＸとＹとの間に１個以上接続されることが可能である。なお、スイッチは、オンオフが制御される機能を有している。つまり、スイッチは、導通状態（オン状態）、または、非導通状態（オフ状態）になり、電流を流すか流さないかを制御する機能を有している。または、スイッチは、電流を流す経路を選択して切り替える機能を有している。なお、ＸとＹとが電気的に接続されている場合は、ＸとＹとが直接的に接続されている場合を含むものとする。【０５０８】ＸとＹとが機能的に接続されている場合の一例としては、ＸとＹとの機能的な接続を可能とする回路（例えば、論理回路（インバータ、ＮＡＮＤ回路、ＮＯＲ回路など）、信号変換回路（ＤＡ変換回路、ＡＤ変換回路、ガンマ補正回路など）、電位レベル変換回路（電源回路（昇圧回路、降圧回路など）、信号の電位レベルを変えるレベルシフタ回路など）、電圧源、電流源、切り替え回路、増幅回路（信号振幅または電流量などを大きく出来る回路、オペアンプ、差動増幅回路、ソースフォロワ回路、バッファ回路など）、信号生成回路、記憶回路、制御回路など）が、ＸとＹとの間に１個以上接続されることが可能である。なお、一例として、ＸとＹとの間に別の回路を挟んでいても、Ｘから出力された信号がＹへ伝達される場合は、ＸとＹとは機能的に接続されているものとする。なお、ＸとＹとが機能的に接続されている場合は、ＸとＹとが直接的に接続されている場合と、ＸとＹとが電気的に接続されている場合とを含むものとする。【０５０９】なお、ＸとＹとが電気的に接続されている、と明示的に記載されている場合は、ＸとＹとが電気的に接続されている場合（つまり、ＸとＹとの間に別の素子又は別の回路を挟んで接続されている場合）と、ＸとＹとが機能的に接続されている場合（つまり、ＸとＹとの間に別の回路を挟んで機能的に接続されている場合）と、ＸとＹとが直接接続されている場合（つまり、ＸとＹとの間に別の素子又は別の回路を挟まずに接続されている場合）とが、本明細書等に開示されているものとする。つまり、電気的に接続されている、と明示的に記載されている場合は、単に、接続されている、とのみ明示的に記載されている場合と同様な内容が、本明細書等に開示されているものとする。【０５１０】なお、例えば、トランジスタのソース（又は第１の端子など）が、Ｚ１を介して（又は介さず）、Ｘと電気的に接続され、トランジスタのドレイン（又は第２の端子など）が、Ｚ２を介して（又は介さず）、Ｙと電気的に接続されている場合や、トランジスタのソース（又は第１の端子など）が、Ｚ１の一部と直接的に接続され、Ｚ１の別の一部がＸと直接的に接続され、トランジスタのドレイン（又は第２の端子など）が、Ｚ２の一部と直接的に接続され、Ｚ２の別の一部がＹと直接的に接続されている場合では、以下のように表現することが出来る。【０５１１】例えば、「ＸとＹとトランジスタのソース（又は第１の端子など）とドレイン（又は第２の端子など）とは、互いに電気的に接続されており、Ｘ、トランジスタのソース（又は第１の端子など）、トランジスタのドレイン（又は第２の端子など）、Ｙの順序で電気的に接続されている。」と表現することができる。または、「トランジスタのソース（又は第１の端子など）は、Ｘと電気的に接続され、トランジスタのドレイン（又は第２の端子など）はＹと電気的に接続され、Ｘ、トランジスタのソース（又は第１の端子など）、トランジスタのドレイン（又は第２の端子など）、Ｙは、この順序で電気的に接続されている」と表現することができる。または、「Ｘは、トランジスタのソース（又は第１の端子など）とドレイン（又は第２の端子など）とを介して、Ｙと電気的に接続され、Ｘ、トランジスタのソース（又は第１の端子など）、トランジスタのドレイン（又は第２の端子など）、Ｙは、この接続順序で設けられている」と表現することができる。これらの例と同様な表現方法を用いて、回路構成における接続の順序について規定することにより、トランジスタのソース（又は第１の端子など）と、ドレイン（又は第２の端子など）とを、区別して、技術的範囲を決定することができる。【０５１２】または、別の表現方法として、例えば、「トランジスタのソース（又は第１の端子など）は、少なくとも第１の接続経路を介して、Ｘと電気的に接続され、前記第１の接続経路は、第２の接続経路を有しておらず、前記第２の接続経路は、トランジスタを介した、トランジスタのソース（又は第１の端子など）とトランジスタのドレイン（又は第２の端子など）との間の経路であり、前記第１の接続経路は、Ｚ１を介した経路であり、トランジスタのドレイン（又は第２の端子など）は、少なくとも第３の接続経路を介して、Ｙと電気的に接続され、前記第３の接続経路は、前記第２の接続経路を有しておらず、前記第３の接続経路は、Ｚ２を介した経路である。」と表現することができる。または、「トランジスタのソース（又は第１の端子など）は、少なくとも第１の接続経路によって、Ｚ１を介して、Ｘと電気的に接続され、前記第１の接続経路は、第２の接続経路を有しておらず、前記第２の接続経路は、トランジスタを介した接続経路を有し、トランジスタのドレイン（又は第２の端子など）は、少なくとも第３の接続経路によって、Ｚ２を介して、Ｙと電気的に接続され、前記第３の接続経路は、前記第２の接続経路を有していない。」と表現することができる。または、「トランジスタのソース（又は第１の端子など）は、少なくとも第１の電気的パスによって、Ｚ１を介して、Ｘと電気的に接続され、前記第１の電気的パスは、第２の電気的パスを有しておらず、前記第２の電気的パスは、トランジスタのソース（又は第１の端子など）からトランジスタのドレイン（又は第２の端子など）への電気的パスであり、トランジスタのドレイン（又は第２の端子など）は、少なくとも第３の電気的パスによって、Ｚ２を介して、Ｙと電気的に接続され、前記第３の電気的パスは、第４の電気的パスを有しておらず、前記第４の電気的パスは、トランジスタのドレイン（又は第２の端子など）からトランジスタのソース（又は第１の端子など）への電気的パスである。」と表現することができる。これらの例と同様な表現方法を用いて、回路構成における接続経路について規定することにより、トランジスタのソース（又は第１の端子など）と、ドレイン（又は第２の端子など）とを、区別して、技術的範囲を決定することができる。【０５１３】なお、これらの表現方法は、一例であり、これらの表現方法に限定されない。ここで、Ｘ、Ｙ、Ｚ１、Ｚ２は、対象物（例えば、装置、素子、回路、配線、電極、端子、導電膜、層、など）であるとする。【０５１４】なお、回路図上は独立している構成要素同士が電気的に接続しているように図示されている場合であっても、１つの構成要素が、複数の構成要素の機能を併せ持っている場合もある。例えば配線の一部が電極としても機能する場合は、一の導電膜が、配線の機能、及び電極の機能の両方の構成要素の機能を併せ持っている。したがって、本明細書における電気的に接続とは、このような、一の導電膜が、複数の構成要素の機能を併せ持っている場合も、その範疇に含める。
【符号の説明】
【０５１５】Ａ：入力端子、ＡＣＦ１：導電材料、ＡＦ１：配向膜、ＡＦ２：配向膜、ＡＮＯ：導電膜、Ｂ：入力端子、Ｃ１：容量素子、Ｃ２：容量素子、Ｃ３：容量素子、Ｃ４：容量素子、Ｃ５：容量素子、Ｃ１１：容量素子、Ｃ１２：容量素子、Ｃ２１：容量素子、Ｃ２２：容量素子、ＣＩ：制御情報、ＣＳＣＯＭ：導電膜、ＣＰ：導電材料、ＤＳ：検知情報、Ｅ：入力端子、Ｇ１：出力端子、Ｇ２：出力端子、ＧＣＬＫ：信号、ＧＬ１：走査線、ＧＬ２：走査線、ＧＮ１：ノード、ＧＮ２：ノード、ＧＮ３：ノード、ＧＮ４：ノード、ＧＶＤＤ：配線、ＧＶＳＳ：配線、ＩＩ：入力情報、ＫＢ１：構造体、ＬＩＮ：入力端子、Ｍ：トランジスタ、Ｍ１：トランジスタ、Ｍ３：トランジスタ、Ｍ４：トランジスタ、Ｍ５：トランジスタ、Ｍ６：トランジスタ、Ｍ７：トランジスタ、Ｍ１２：トランジスタ、Ｍ１３：トランジスタ、Ｍ１５：トランジスタ、Ｍ１６：トランジスタ、Ｍ１７：トランジスタ、Ｍ１８：トランジスタ、Ｍ１９：トランジスタ、Ｍ２０：トランジスタ、Ｍ２１：トランジスタ、Ｍ２２：トランジスタ、Ｍ２３：トランジスタ、Ｍ２４：トランジスタ、Ｍ３１：トランジスタ、Ｎ１：ノード、Ｎ２：ノード、ＯＵＴ：出力端子、Ｐ１：位置情報、ＰＷＣ１：信号、ＰＷＣ２：信号、ＰＷＣＡ１：配線、ＰＷＣＡ４：配線、ＰＷＣＢ１：配線、ＰＷＣＢ４：配線、Ｒ：端子、ＲＩＮ：入力端子、ＳＬ１：信号線、ＳＬ２：信号線、ＳＰ：制御信号、ＳＰＬ：配線、ＳＷ１１：スイッチ、ＳＷ１２：スイッチ、ＳＷ２１：スイッチ、ＳＷ２２：スイッチ、ＳＷ２３：スイッチ、ＳＷ２４：スイッチ、Ｖ０：導電膜、Ｖ１１：情報、ＶＣＯＭ１：導電膜、ＶＥＥ：配線、ＶＩ：画像情報、ＦＰＣ１：フレキシブルプリント基板、２００：情報処理装置、２１０：演算装置、２１１：演算部、２１２：記憶部、２１３：人工知能部、２１４：伝送路、２１５：入出力インターフェース、２２０：入出力装置、２３０：表示部、２３１：表示領域、２３３：制御回路、２３４：伸張回路、２３５：画像処理回路、２３８：制御部、２４０：入力部、２４１：検知領域、２４８：制御部、２５０：検知部、２９０：通信部、５０１Ｃ：絶縁膜、５０４：導電膜、５０６：絶縁膜、５０８：半導体膜、５０８Ａ：領域、５０８Ｂ：領域、５０８Ｃ：領域、５１０：基材、５１２Ａ：導電膜、５１２Ｂ：導電膜、５１６：絶縁膜、５１８：絶縁膜、５１９Ｂ：端子、５２０：機能層、５２１：絶縁膜、５２１Ｂ：絶縁膜、５２４：導電膜、５３０：画素回路、５９１Ａ：開口部、７００：表示パネル、７００ＴＰ：入出力パネル、７０２：画素、７０５：封止材、７５０：表示素子、７５１：電極、７５２：電極、７５３：層、７５４：導電膜、７７０：基材、７７０Ｐ：機能膜、８０２：検知器、５２００Ｂ：情報処理装置、５２１０：演算装置、５２２０：入出力装置、５２３０：表示部、５２４０：入力部、５２５０：検知部、５２９０：通信部
【図１Ａ】
2020058799.tif 000010
【図１Ｂ】
2020058799.tif 000011
【図１Ｃ】
2020058799.tif 000012
【図２Ａ】
2020058799.tif 000013
【図２Ｂ】
2020058799.tif 000014
【図３Ａ】
2020058799.tif 000015
【図３Ｂ】
2020058799.tif 000016
【図４Ａ】
2020058799.tif 000017
【図４Ｂ】
2020058799.tif 000018
【図５Ａ】
2020058799.tif 000019
【図５Ｂ】
2020058799.tif 000020
【図６】
2020058799.tif 000021
【図７Ａ】
2020058799.tif 000022
【図７Ｂ】
2020058799.tif 000023
【図８Ａ】
2020058799.tif 000024
【図８Ｂ】
2020058799.tif 000025
【図９】
2020058799.tif 000026
【図１０】
2020058799.tif 000027
【図１１Ａ】
2020058799.tif 000028
【図１１Ｂ】
2020058799.tif 000029
【図１２Ａ】
2020058799.tif 000030
【図１２Ｂ】
2020058799.tif 000031
【図１３Ａ】
2020058799.tif 000032
【図１３Ｂ】
2020058799.tif 000033
【図１３Ｃ】
2020058799.tif 000034
【図１３Ｄ】
2020058799.tif 000035
【図１４Ａ】
2020058799.tif 000036
【図１４Ｂ】
2020058799.tif 000037
【図１４Ｃ】
2020058799.tif 000038
【図１５】
2020058799.tif 000039
【図１６Ａ】
2020058799.tif 000040
【図１６Ｂ】
2020058799.tif 000041
【図１６Ｃ】
2020058799.tif 000042
【図１７Ａ】
2020058799.tif 000043
【図１７Ｂ】
2020058799.tif 000044
【図１８Ａ】
2020058799.tif 000045
【図１８Ｂ】
2020058799.tif 000046
【図１８Ｃ】
2020058799.tif 000047
【図１９Ａ】
2020058799.tif 000048
【図１９Ｂ】
2020058799.tif 000049
【図１９Ｃ】
2020058799.tif 000050
【図１９Ｄ】
2020058799.tif 000051
【図１９Ｅ】
2020058799.tif 000052
【図２０Ａ】
2020058799.tif 000053
【図２０Ｂ】
2020058799.tif 000054
【図２０Ｃ】
2020058799.tif 000055
【図２０Ｄ】
2020058799.tif 000056
【図２０Ｅ】
2020058799.tif 000057
【図２１Ａ】
2020058799.tif 000058
【図２１Ｂ】
2020058799.tif 000059
【図２２】
2020058799.tif 000060
【国際調査報告】
2020058799.tif 000061
2020058799.tif 000062
2020058799.tif 000063
2020058799.tif 000064